(57)【要約】      （修正有）【課題】ディスプレイ装置に新しい機能又は深化された機能を簡単に追加又は拡張してディスプレイ装置の機能をアップグレードすることができる、映像処理装置、アップグレード装置及びディスプレイシステム及びその制御方法を提供する。【解決手段】映像処理装置１００は、信号入力部１１０と、前記信号入力部によって入力された入力信号を処理して第１出力信号を出力する第１映像処理部１３０と、第２映像処理部２２０を備えたアップグレード装置２００が接続可能なアップグレード装置接続部１６０と、前記アップグレード装置が前記アップグレード装置接続部に接続された場合に前記第１映像処理部によって処理される前記入力信号及び前記第１出力信号の中で少なくとも一つが前記アップグレード装置に送信されて前記第２映像処理部によって信号処理が行われるように制御を行う第１制御部１４０と、を含む。【選択図】図１
2013141221.tif 000002
【特許請求の範囲】
【請求項１】
ＴＶにおいて、
信号入力部と；
前記信号入力部によって入力される入力信号を処理して第１出力信号を出力する映像処理部と；
信号処理を行うアップグレード装置が接続可能で、前記アップグレード装置の接続時に前記入力信号及び前記第１出力信号の中で少なくとも一つが前記ＴＶから前記アップグレード装置に送信され、前記アップグレード装置から出力される第２出力信号が前記ＴＶに受信されるようにするアップグレード装置接続部と；
前記アップグレード装置が前記アップグレード装置接続部に接続されない場合、前記第１出力信号に基づいた映像を表示し、前記アップグレード装置が前記アップグレード装置接続部に接続された場合、前記第２出力信号に基づいた映像を表示するディスプレイ部と；
前記第１出力信号又は前記第２出力信号に基づいた映像の表示を制御する制御部と；
を含むことを特徴とするＴＶ。
【請求項２】
前記アップグレード装置接続部は、
前記入力信号及び前記第１出力信号の中で少なくとも一つの送信のための第１入力信号端と；
前記第１入力信号端と離隔されて設けられ、前記第２出力信号の受信のためのディスプレイ部出力端と；
を含むことを特徴とする請求項１に記載のＴＶ。
【請求項３】
前記第１入力信号端と前記ディスプレイ部出力端が互いに隣接するように、前記第１入力信号端と前記ディスプレイ部出力端の中で少なくともいずれか一つを弾性バイアスさせる弾性部材をさらに含むことを特徴とする請求項２に記載のＴＶ。
【請求項４】
前記アップグレード装置接続部は、前記アップグレード装置と前記アップグレード装置接続部との間の信号伝達を媒介する中間基板が固定的に挿入されるようにする固定部をさらに含むことを特徴とする請求項２に記載のＴＶ。
【請求項５】
データ分配部と、データ選択部をさらに含み、
前記データ分配部は、前記第１出力信号を前記アップグレード装置接続部及び前記データ選択部に分配し、
前記データ選択部は、前記データ分配部を通じて分配された前記第１出力信号と前記アップグレード装置接続部を通じて受信された前記第２出力信号の中でいずれか一つを選択して出力することを特徴とする請求項１乃至請求項４の中でいずれか一項に記載のＴＶ。
【請求項６】
前記映像処理部と前記ディスプレイ部との間に前記アップグレード装置接続部と並列で設けられて、前記アップグレード装置の接続可否に従って前記第１出力信号を前記ディスプレイ部に選択的に送信する映像信号スイッチをさらに含むことを特徴とする請求項１乃至請求項４の中でいずれか一項に記載のＴＶ。
【請求項７】
前記アップグレード装置は、前記映像処理部によって行われることができない新しい機能を行うことを特徴とする請求項１に記載のＴＶ。
【請求項８】
前記新しい機能は、３Ｄ映像信号を処理することに関することを特徴とする請求項７に記載のＴＶ。
【請求項９】
前記アップグレード装置は、前記映像処理部の既存機能からアップグレードされた機能を行うことを特徴とする請求項１に記載のＴＶ。
【請求項１０】
前記アップグレードされた機能は、前記ＴＶ単独で具現されることより向上された品質の前記第２出力信号を生成することを特徴とする請求項９に記載のＴＶ。
【請求項１１】
前記入力信号は、映像信号を含み、
前記映像処理部及び前記アップグレード装置は、前記映像信号に対して共に映像処理を行い、
前記処理された映像信号に基づいた映像はディスプレイ部に表示されることを特徴とする請求項１に記載のＴＶ。
【請求項１２】
前記アップグレード装置は、前記映像処理装置を制御するための優先権を有することを特徴とする請求項１１に記載のＴＶ。
【請求項１３】
前記信号入力部は、前記入力信号として放送信号を受信するチューナーを含むことを特徴とする請求項１に記載のＴＶ。
【請求項１４】
ＴＶにおいて、
信号入力部と；
前記信号入力部によって入力される入力信号を処理して第１出力信号を出力する映像処理部と；
信号処理を行うアップグレード装置が接続可能で、前記アップグレード装置の接続時に前記入力信号及び前記第１出力信号の中で少なくとも一つが前記ＴＶから前記アップグレード装置に送信されるようにするアップグレード装置接続部と；
前記アップグレード装置から出力される第２出力信号を受信する第２接続部を含み、前記アップグレード装置が前記アップグレード装置接続部に接続されない場合、前記第１出力信号に基づいた映像を表示し、前記アップグレード装置が前記アップグレード装置接続部に接続された場合、前記第２出力信号に基づいた映像を表示するディスプレイ部と；
前記第１出力信号又は前記第２出力信号に基づいた映像の表示を制御する制御部と；
を含むことを特徴とするＴＶ。
【請求項１５】
ＴＶ用アップグレード装置において、
信号処理を行う映像処理部と；
ＴＶに接続可能で、前記ＴＶから出力される第１出力信号が前記アップグレード装置に受信され、前記映像処理部の信号処理によって出力される第２出力信号が前記ＴＶに送信されるようにする接続部と；
前記第１出力信号の受信及び前記第２出力信号の送信を制御する制御部と；
を含み、
前記映像処理部は、前記第１出力信号に基づいて前記第２出力信号を生成することを特徴とするアップグレード装置。
【請求項１６】
前記第１出力信号は、映像信号と、音声信号及び制御信号の中で少なくとも一つを含み、
前記接続部は、
前記映像信号の受信のための第１接続部と；
前記音声信号及び前記制御信号の中で少なくとも一つの受信のための第２接続部と；
を含むことを特徴とする請求項１５に記載のアップグレード装置。
【請求項１７】
前記接続部は、前記ＴＶと前記本体接続部との間の信号伝達のための中間基板を媒介として前記ＴＶと接続することを特徴とする請求項１５に記載のアップグレード装置。
【請求項１８】
前記接続部は、
前記第１出力信号の受信のための本体接続部と；
前記ＴＶのディスプレイ部に前記第２出力信号を送信するためのディスプレイ接続部と；
を含むことを特徴とする請求項１５に記載のアップグレード装置。
【請求項１９】
外部入力信号を入力する信号入力部をさらに含み、
前記接続部は、前記外部入力信号を前記ＴＶに送信することを特徴とする請求項１５に記載のアップグレード装置。
【請求項２０】
外部入力信号を入力する信号入力部をさらに含み、
前記映像処理部は、前記外部入力信号に基づいて前記第２出力信号を生成することを特徴とする請求項１５に記載のアップグレード装置。
【発明の詳細な説明】
【技術分野】
【０００１】
本発明は、映像処理装置、アップグレード装置、これを含むディスプレイシステム及びその制御方法に係り、さらに詳しくは、映像処理装置に対するアップグレード装置を接続することによって映像処理装置の機能をアップグレードできる映像処理装置、アップグレード装置、これを含むディスプレイシステム及びその制御方法に関する。
【背景技術】
【０００２】
一般的に、映像処理装置は、外部の多様な映像供給源から送信されたり又は自体的に保存されている映像信号／映像データを処理する装置である。このような映像処理装置は、自体的に備えたディスプレイパネル上に前記処理された映像を表示するように設けられることもできるし、ＴＶ又はモニター等がここに属する。例えば、ＴＶの場合、外部から受信される放送信号をデコーディング、スケーリング等のような多様な映像処理プロセスを通じてユーザーの望む放送チャンネルの映像をディスプレイパネルに表示する。
【０００３】
映像処理装置は、このような映像処理プロセスを行うように色々な種類のチップセット、メモリー等を含む回路で具現された映像処理ボードを内蔵する。
【０００４】
しかし、技術が発達しユーザの要求が多様化されることによって映像処理装置に要求される能力はますます深化されたりその機能が拡張されている傾向である。
【０００５】
ユーザが新しく付加された機能や深化された機能を利用するために映像処理装置を再購入するべきだとすれば経済的に負担になるだけでなく資源活用の側面でも望ましくない。
【０００６】
したがって、映像処理装置に新しい機能又は深化機能を簡単に追加又は拡張できる、アップグレード可能な映像処理装置が要求される。
【０００７】
また、このようなアップグレード装置を通じて機能や仕様がアップグレードされることにおいて、映像処理装置に既に含まれた付属モジュールに対するファームウェアもアップグレードされたり変更される必要がある。
【０００８】
また、２Ｄ映像処理機能だけを有する映像処理装置は物理的な限界によって３Ｄコンテンツを３Ｄ効果を有するように再生できなくて、２Ｄ映像でだけ再生が可能な限界を有する。２Ｄ映像処理機能の映像処理装置が３Ｄコンテンツを３Ｄ映像で再生するためには映像処理装置に内蔵された映像処理ボードの全体又は少なくとも一部を物理的に交替しなければならないので、製造側面及び使用側面の皆で容易でなくて、ユーザとしては３Ｄ映像処理機能の映像処理装置を新しく購入する負担を有することになる。
【発明の概要】
【発明が解決しようとする課題】
【０００９】
従って、本発明の目的は、アップグレードが可能な映像処理装置に、新しい機能又は深化された機能を簡単に追加又は拡張して、アップグレード可能な映像処理装置、アップグレード装置、これを含むディスプレイシステム及びその制御方法を提供することである。
【００１０】
また、本発明の目的は、アップグレード装置が提供するアップグレード機能又は仕様に適合するように、映像処理装置に既に含まれた付属モジュールを駆動するファームウェアをアップグレードする映像処理装置、アップグレード装置、これを含むディスプレイシステム及びその制御方法を提供することである。
【００１１】
また、本発明の目的は、既存の２Ｄ映像処理機能に３Ｄ映像処理機能を簡単に追加又は拡張して、アップグレード可能な映像処理装置、アップグレード装置、これを含むディスプレイシステム及びその制御方法を提供することである。
【課題を解決するための手段】
【００１２】
本発明の前記目的は、映像処理装置において、信号入力部と；前記信号入力部によって入力された入力信号を処理して第１出力信号を出力する第１映像処理部と；第２映像処理部を備えたアップグレード装置が接続可能なアップグレード装置接続部と；前記アップグレード装置が前記アップグレード装置接続部に接続された場合に前記第１映像処理部によって処理される前記入力信号及び前記第１出力信号の中で少なくとも一つが前記アップグレード装置に送信されて前記第２映像処理部によって信号処理が行われるように制御する第１制御部と；を含むことを特徴とする映像処理装置によって達成されることができる。
【００１３】
映像処理装置は、前記第１出力信号に対応する第１映像及び前記アップグレード装置の第２映像処理部によって信号処理されて出力された第２出力信号に対応する第２映像の中で少なくともいずれか一つが表示可能なディスプレイ部をさらに含むことができる。
【００１４】
前記アップグレード装置接続部は、前記アップグレード装置が挿入されない場合に前記第１出力信号が前記ディスプレイ部に送信され、前記アップグレード装置が挿入された場合に前記第２映像処理部から出力された前記第２出力信号が前記ディスプレイ部に送信されるように設けられることができる。
【００１５】
前記アップグレード装置接続部は、前記第１出力信号が入力される第１入力信号端と；前記第１出力信号及び前記第２出力信号の中でいずれか一つを前記ディスプレイ部に出力するように、前記アップグレード装置の接続可否に従って前記第１入力信号端及び前記アップグレード装置の本体接続部の中でいずれか一つに選択的に接触するように設けられたディスプレイ部出力端と；を含むことができる。
【００１６】
映像処理装置は、前記アップグレード装置が前記アップグレード装置接続部に接続されない場合、前記第１入力信号端と前記ディスプレイ部出力端が互いに接触するように前記第１入力信号端と前記ディスプレイ部出力端の中で少なくともいずれか一つを弾性バイアスさせる弾性部材をさらに含むことができる。
【００１７】
映像処理装置は、前記アップグレード装置が前記アップグレード装置接続部に接続されない場合、前記第１出力信号が前記ディスプレイ部に送信できるように前記アップグレード装置接続部に挿入される信号連結部材をさらに含むことができる。
【００１８】
映像処理装置は、前記第１制御部の制御によって前記第１出力信号及び前記アップグレード装置接続部から出力された第２出力信号の中でいずれか一つを選択して前記ディスプレイ部に出力するデータ選択部と；前記第１制御部の制御によって前記第１出力信号を前記アップグレード装置接続部及び前記データ選択部に分配するデータ分配部と；を含むことができる。
【００１９】
前記第１制御部は、前記アップグレード装置が接続されない場合、前記第１映像処理部から出力された前記第１出力信号が前記ディスプレイ部に出力されるように前記データ分配部及び前記データ選択部を制御することができる。
【００２０】
前記第１制御部は、前記アップグレード装置が接続された場合、前記第１映像処理部から出力された前記第１出力信号が前記アップグレード装置接続部に分配され前記アップグレード装置によって出力された第２出力信号が前記ディスプレイ部に出力されるように前記データ分配部及び前記データ選択部を制御することができる。
【００２１】
映像処理装置は、前記第１映像処理部から出力された前記第１出力信号を前記ディスプレイ部に選択的に送信するための映像信号スイッチをさらに含み、前記第１映像処理部は前記第１出力信号を前記アップグレード装置接続部及び前記映像信号スイッチに出力し、前記第１制御部は前記アップグレード装置が未接続及び接続された場合に各々、前記第１出力信号及び前記アップグレード装置によって処理された第２出力信号が前記ディスプレイ部に送信されるように前記映像信号スイッチを制御することができる。
【００２２】
前記映像信号スイッチは、ＬＶＤＳスイッチを含むことができる。
【００２３】
前記第１映像処理部は、前記第１出力信号を前記アップグレード装置接続部に出力する第１出力ポートと；前記第１出力信号を前記映像信号スイッチに出力する第２出力ポートと；を含むことができる。
【００２４】
前記第１出力信号は、第１映像信号及び第１音声信号の中で少なくともいずれか一つを含み、前記アップグレード装置接続部は、前記アップグレード装置に前記入力信号及び前記第１映像信号の中で少なくともいずれか一つを送信するための第１接続部と；前記アップグレード装置と制御信号及び前記第１音声信号の中で少なくとも一つを送受信するための第２接続部と；を含むことができる。
【００２５】
前記第１出力信号は第１映像信号及び第１音声信号の中で少なくともいずれか一つを含み、前記第１音声信号及び前記アップグレード装置の前記第２映像処理部によって処理された第２音声信号の中でいずれか一つが出力可能な音声出力部をさらに含むことができる。
【００２６】
映像処理装置は、無線でユーザから入力を受けるための無線ユーザ入力部、インターネット網接続のための無線通信部及び映像撮影のためのカメラ部の中で少なくともいずれか一つと、前記アップグレード装置の接続可否に従って前記無線ユーザ入力部、前記無線通信部及び前記カメラ部の中で少なくともいずれか一つに対する制御経路を前記第１制御部及び前記アップグレード装置に選択的に転換するための制御経路転換スイッチをさらに含むことができる。
【００２７】
前記第１制御部は、前記アップグレード装置が前記アップグレード装置接続部に接続されない場合に前記無線ユーザ入力部、前記無線通信部及び前記カメラ部を制御し、前記アップグレード装置が前記アップグレード装置接続部に接続された場合、前記無線ユーザ入力部、前記無線通信部及び前記カメラ部の中で少なくともいずれか一つに対する制御を中断することができる。
【００２８】
前記アップグレード装置が前記アップグレード装置接続部に接続された場合、前記アップグレード装置が前記制御経路転換スイッチを通じて前記無線ユーザ入力部、前記無線通信部及び前記カメラ部の中で少なくともいずれか一つを制御することができる。
【００２９】
前記第１制御部は、前記アップグレード装置から提供可能な少なくとも一つのアップグレード機能に関する情報を受信し、前記アップグレード機能に関する情報に基づいてアップグレード機能が行われるように制御することができる。
【００３０】
前記第１制御部は、前記アップグレード装置に制御権を付与し、前記第１映像処理部は、前記アップグレード装置の制御に従って前記入力信号に対して映像処理を行うことができる。
【００３１】
前記第１制御部は、前記アップグレード装置を通じて入力される外部入力信号を受信し、前記受信された外部入力信号に基づいた映像が表示されるように制御を行うことができる。前記第１制御部は、前記第１映像処理部によって処理された第１出力信号を前記アップグレード装置に送信して外部に出力されるように制御を行うことができる。
【００３２】
映像処理装置は、ファームウェアが各々設けられた少なくとも一つの付属モジュールをさらに含み、前記第１制御部は、前記アップグレード装置から受信される対応するアップグレードファームウェアに基づいて前記少なくとも一つの付属モジュールのファームウェアのアップグレードを行うことができる。
【００３３】
前記第１制御部は、前記アップグレード装置の制御に従って前記ファームウェアのアップグレードを行うことができる。
【００３４】
前記第１制御部は、前記少なくとも一つの付属モジュールに各々設けられたファームウェアを前記アップグレード装置にバックアップすることができる。
【００３５】
映像処理装置は、ユーザの選択を入力するユーザ入力部をさらに含み、前記第１制御部は、前記ユーザの選択に従って前記ファームウェアのアップグレードを行うことができる。映像処理装置は、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）を保存する保存部をさらに含み、前記第１制御部は、前記アップグレード装置から受信されるアップグレードＥＤＩＤ情報に基づいて前記ＥＤＩＤのアップグレードを行うことができる。
【００３６】
前記第１制御部は、前記入力信号を処理するための複数の映像処理プロセス各々に対して前記第１映像処理部及び前記第２映像処理部の中でいずれか一つによって選択的に行われるように制御を行うことができる。
【００３７】
前記第１映像処理部は前記複数の映像処理プロセスの中で少なくとも一部を処理する複数の第１ブロックを含み、前記第２映像処理部は前記複数の第１ブロック各々に対応し、前記複数の映像処理プロセスの中で少なくとも一部を処理する複数の第２ブロックを含むことができる。
【００３８】
映像処理装置は、前記複数の第１ブロック及び前記複数の第２ブロックと各々連結されて、前記第１ブロックと前記第２ブロックの中でいずれか一つに信号が送信されるようにスイッチングする複数のスイッチング部をさらに含むことができる。
【００３９】
映像処理装置は、ユーザの選択を入力するユーザ入力部をさらに含み、前記第１制御部は、前記ユーザの選択に従って、前記複数の映像処理プロセス各々が前記第１映像処理部及び前記第２映像処理部の中でいずれか一つによって選択的に行われるように制御を行うことができる。
【００４０】
前記第１制御部は、前記アップグレード装置から前記第１出力信号から変換された３Ｄ映像信号を受信するように前記接続部を制御することができる。
【００４１】
前記アップグレード装置は、前記映像処理装置のタイミング
コントローラー、ディスプレイパネル及び映像処理ボードの中でいずれか一つに着脱可能に結合されることができる。前記アップグレード装置は、前記タイミング コントローラーに設けられた予備コネクターに接続されることができる。前記アップグレード装置は、前記タイミング
コントローラーと結合された形態で前記映像処理ボード及び前記ディスプレイパネルに設けられたスロットに結合されることができる。
【００４２】
本発明の前記目的は、第１映像処理部及び第１制御部を備えた映像処理装置に装着可能なアップグレード装置において、前記映像処理装置に接続可能な本体接続部と；前記本体接続部を通じて前記映像処理装置から出力された信号が入力されて処理する第２映像処理部と；前記第２映像処理部を制御する第２制御部と；を含むアップグレード装置によっても達成されることができる。
【００４３】
アップグレード装置は、前記第２映像処理部によって処理された信号をディスプレイ部に送信するために前記ディスプレイ部が接続可能なディスプレイ接続部をさらに含むことができる。
【００４４】
前記本体接続部は、前記映像処理装置の前記第１映像処理部によって処理された第１映像信号が入力される第１本体接続部と；前記映像処理装置の前記第１映像処理部によって処理された第１音声信号及び前記第１制御部によって送信された制御信号の中で少なくともいずれか一つが入力される第２本体接続部と；を含むことができる。
【００４５】
前記第２制御部は、前記第１制御部及び前記第１映像処理部の中で少なくともいずれか一つを制御することができる。前記第２制御部は、前記映像処理装置に提供可能な少なくとも一つのアップグレード機能に関する情報を前記映像処理装置に送信して、前記アップグレード機能が行われるように制御することができる。
【００４６】
前記第２制御部は、前記映像処理装置から制御権が与えられて、前記映像処理装置から出力された信号に対して映像処理を行うように制御することができる。
【００４７】
アップグレード装置は、外部入力信号を入力する信号入力部をさらに含み、前記第２制御部は、前記入力される外部入力信号を前記映像処理装置に送信し、前記映像処理装置が前記送信された外部入力信号に基づいて映像を表示するように制御を行うことができる。
【００４８】
アップグレード装置は、信号出力部をさらに含み、前記第２制御部は、前記映像処理装置から出力される信号を受信し、前記受信された信号が前記信号出力部を通じて外部に出力されるように制御を行うことができる。
【００４９】
アップグレード装置は、前記映像処理装置の少なくとも一つの付属モジュールに対応するアップグレードファームウェアが保存された保存部をさらに含み、前記第２制御部は、前記アップグレードファームウェアに基づいて前記少なくとも一つの付属モジュールのファームウェアがアップグレードされるように制御を行う制御部を含むことができる。
【００５０】
前記第２制御部は、前記少なくとも一つの付属モジュールのファームウェアのバックアップを行うことができる。前記第２制御部は、前記映像処理装置を通じて入力されたユーザの選択に従って前記少なくとも一つの付属モジュールのファームウェアがアップグレードされるように制御を行うことができる。
【００５１】
前記第２制御部は、前記映像処理装置から受信されるＥＤＩＤ（Ｅｘｔｅｎｄｅｄ  Ｄｉｓｐｌａｙ  Ｉｄｅｎｔｉｆｉｃａｔｉｏｎ  Ｄａｔａ）に基づいて前記少なくとも一つの付属モジュールのファームウェアがアップグレードされるように制御を行うことができる。
【００５２】
前記第２制御部は、前記映像処理装置から出力された信号を変換して３Ｄ映像信号を生成するように前記第２映像処理部を制御し、前記生成された３Ｄ映像信号を前記映像処理装置に送信するように前記接続部を制御することができる。
【００５３】
アップグレード装置は、３Ｄメガネと通信する通信部をさらに含み、前記第２制御部は、前記３Ｄメガネから送信される信号に基づいて前記３Ｄ映像信号の同期化を行うことができる。
【００５４】
本発明の前記目的は、アップグレード装置が装着可能な映像処理装置の制御方法において、入力信号を処理して出力信号を出力する段階と；前記アップグレード装置が前記映像処理装置に接続された場合に前記入力信号及び前記出力信号の中で少なくとも一つを前記アップグレード装置に送信する段階と；前記アップグレード装置から前記入力信号及び前記出力信号の中で少なくとも一つに基づいた映像信号を受信する段階と；前記受信された映像信号に基づいた映像が表示されるように処理する段階と；を含む映像処理装置の制御方法によっても達成されることができる。
【００５５】
映像処理装置の制御方法は、前記アップグレード装置から提供可能な少なくとも一つのアップグレード機能に関する情報を受信する段階をさらに含み、前記映像が表示されるように処理する段階は、前記アップグレード機能に関する情報に基づいてアップグレード機能を行う段階を含むことができる。
【００５６】
映像処理装置の制御方法は、前記アップグレード装置からアップグレードファームウェアを受信する段階と；前記受信されたアップグレードファームウェアに基づいて前記映像処理装置に含まれた少なくとも一つの付属モジュールのファームウェアのアップグレードを行う段階をさらに含むことができる。
【００５７】
前記入力信号を処理するための複数の映像処理プロセス各々は前記映像処理装置及び前記アップグレード装置の中でいずれか一つによって選択的に行われることができる。
【００５８】
前記受信する段階は、前記アップグレード装置から前記入力信号及び前記出力信号の中で少なくとも一つに基づいて変換された３Ｄ映像信号を受信する段階を含むことができる。
【００５９】
本発明の前記目的は、映像処理装置に装着可能なアップグレード装置の制御方法において、前記アップグレード装置が前記映像処理装置に接続された場合に前記映像処理装置から処理された第１映像信号を受信する段階と；前記映像処理装置から受信された前記第１映像信号に対して前記映像処理装置の少なくとも一つのアップグレード機能に関する映像処理を行う段階と；前記アップグレード機能に関する映像処理が行われた第２映像信号を前記映像処理装置に送信する段階と；を含むことができる。
【００６０】
アップグレード装置の制御方法は、前記映像処理装置に提供可能な少なくとも一つの前記アップグレード機能に関する情報を送信する段階をさらに含むことができる。アップグレード装置の制御方法は、前記映像処理装置に含まれた少なくとも一つの付属モジュールのファームウェアのアップグレードのためのアップグレードファームウェアを前記映像処理装置に送信する段階をさらに含むことができる。
【００６１】
アップグレード装置の制御方法は、前記映像処理を行う段階は、前記映像処理装置から受信された前記第１映像信号を変換して３Ｄ映像信号を生成する段階を含み、前記送信段階は、前記映像処理装置に前記３Ｄ映像信号を送信する段階を含むことができる。
【００６２】
本発明の前記目的は、映像処理装置と前記映像処理装置に装着可能なアップグレード装置を含むディスプレイシステムにおいて、第１入力信号を処理して第１出力信号を出力する第１映像処理部と、前記第１映像処理部を制御する第１制御部と、前記アップグレード装置が接続可能なアップグレード装置接続部を含む映像処理装置と；第２入力信号を処理して第２出力信号を出力する第２映像処理部と前記第２映像処理部を制御する第２制御部と、前記アップグレード装置接続部と接続可能な本体接続部を含むアップグレード装置と；前記アップグレード装置が前記アップグレード装置接続部に接続された場合に前記第１映像処理部によって処理される前記第１入力信号及び前記第１出力信号の中で少なくとも一つが前記アップグレード装置に送信されて前記第２映像処理部によって信号処理されるディスプレイシステムによっても達成されることができる。
【００６３】
前記アップグレード装置は、前記映像処理装置に提供可能な少なくとも一つのアップグレード機能に関する情報を前記映像処理装置に送信し、前記映像処理装置は、前記アップグレード機能に関する情報に基づいてアップグレード機能を行うことができる。
【００６４】
前記映像処理装置は、ファームウェアが各々設けられた少なくとも一つの付属モジュールを含み、前記アップグレード装置は、前記少なくとも一つの付属モジュールに対応するアップグレードファームウェアが保存された保存部を含み、前記映像処理装置は、前記アップグレード装置から受信される対応するアップグレードファームウェアに基づいて前記少なくとも一つの付属モジュールのファームウェアのアップグレードを行うことができる。
【００６５】
前記入力信号を処理するための複数の映像処理プロセス各々は、前記映像処理装置の前記第１映像処理部及び前記アップグレード装置の前記第２映像処理部の中でいずれか一つによって、選択的に行われることができる。
【００６６】
前記アップグレード装置は、前記映像処理装置から出力された前記第１入力信号及び前記第１出力信号の中で少なくとも一つを３Ｄ映像信号に変換して前記映像処理装置に送信し、前記映像処理装置は前記アップグレード装置から受信された３Ｄ映像信号に基づいて３Ｄ映像が表示されるように処理を行うことができる。
【発明の効果】
【００６７】
前述のように、本発明によれば、アップグレードが可能なディスプレイ装置に、新しい機能又は深化された機能を簡単に追加又は拡張してアップグレード可能な映像処理装置、アップグレード装置、ディスプレイシステム及びその制御方法を提供することができる。
【００６８】
また、本発明によれば、アップグレード装置が提供するアップグレード機能又は仕様に適合するように、ディスプレイ装置に既に含まれた付属モジュールを駆動するファームウェアをアップグレードする映像処理装置、アップグレード装置、ディスプレイシステム及びその制御方法を提供することができる。
【００６９】
また、本発明によれば、映像処理装置にアップグレード装置を装着してさらに向上された映像処理プロセスを行うことができる。
【００７０】
また、本発明によれば、２Ｄ映像を処理する映像処理装置に３Ｄ映像を処理する映像処理装置を結合して、簡単に３Ｄでアップグレードし、３Ｄコンテンツを再生することができる。
【図面の簡単な説明】
【００７１】
【図１】本発明の一実施形態によるディスプレイシステムのブロック図である。
【図２】本発明の一実施形態によるディスプレイシステムのブロック図である。
【図３】本発明の一実施形態によるディスプレイシステムのブロック図である。
【図４】本発明の一実施形態によるディスプレイシステムの映像処理装置のアップグレード装置接続部に選択的に接続可能な信号連結部材及びアップグレード装置を示す要部斜視図である。
【図５】本発明の一実施形態によるディスプレイシステムのブロック図である。
【図６】本発明の一実施形態によるディスプレイシステムのブロック図である。
【図７】本発明の一実施形態によるディスプレイシステムのブロック図である。
【図８】本発明の一実施形態によるディスプレイシステムのブロック図である。
【図９】本発明の一実施形態による映像処理装置のアップグレード装置接続部とアップグレード装置との間の接続方式を説明するための要部拡大斜視図である。
【図１０】本発明の一実施形態による映像処理装置のアップグレード装置接続部とアップグレード装置との間の接続方式を説明するための要部拡大正面図である。
【図１１】本発明の他の実施形態による映像処理装置のアップグレード装置接続部とアップグレード装置との間の接続方式を説明するための斜視図及び断面図である。
【図１２】本発明の他の実施形態による映像処理装置のアップグレード装置接続部とアップグレード装置との間の接続方式を説明するための斜視図及び断面図である。
【図１３】本発明の他の実施形態による映像処理装置のアップグレード装置接続部とアップグレード装置との間の接続方式を説明するための斜視図及び断面図である。
【図１４】本発明の他の実施形態による映像処理装置のアップグレード装置接続部とアップグレード装置との間の接続方式を説明するための斜視図及び断面図である。
【図１５】本発明の他の実施形態による映像処理装置のアップグレード装置接続部とアップグレード装置との間の接続方式を説明するための斜視図及び断面図である。
【図１６】本発明の他の実施形態による映像処理装置のアップグレード装置接続部とアップグレード装置との間の接続方式を説明するための斜視図及び断面図である。
【図１７】本発明の他の実施形態による映像処理装置のアップグレード装置接続部とアップグレード装置との間の接続方式を説明するための斜視図及び断面図である。
【図１８】本発明の一実施形態によるディスプレイシステムのブロック図である。
【図１９】本発明の一実施形態によるディスプレイシステムのブロック図である。
【図２０】本発明の一実施形態によるディスプレイ装置の構成を示すブロック図である。
【図２１】本発明の一実施形態によるアップグレード装置のブロック図である。
【図２２】本発明の一実施形態によるディスプレイ装置の制御方法を示すフローチャートである。
【図２３】本発明の一実施形態によるアップグレード装置の制御方法を示すフローチャートである。
【図２４】本発明の一実施形態によるディスプレイ装置及びアップグレード装置の制御動作を概念的に示す図である。
【図２５】本発明の一実施形態によるディスプレイシステムのブロック図である。
【図２６】本発明の一実施形態によるディスプレイ装置の構成を示すブロック図である。
【図２７】本発明の一実施形態によるアップグレード装置のブロック図である。
【図２８】本発明の一実施形態によるディスプレイ装置の制御方法を示すフローチャートである。
【図２９】本発明の一実施形態によるアップグレード装置の制御方法を示すフローチャートである。
【図３０】本発明の一実施形態によるディスプレイ装置の制御ブロック図である。
【図３１】本発明の一実施形態による第１映像処理部及び第２映像処理部を詳しく示す図である。
【図３２】本発明の一実施形態によるディスプレイ装置の制御フローチャートである。
【図３３】本発明の実施形態によるディスプレイシステムの構成を示すブロック図である。
【図３４】本発明の一実施形態によるディスプレイ装置の構成を示すブロック図である。
【図３５】本発明の一実施形態による３Ｄ映像処理装置の構成を示すブロック図である。
【図３６】本発明の一実施形態による３Ｄ映像処理装置がディスプレイ装置に結合される例を示す図である。
【図３７】本発明の一実施形態による３Ｄ映像処理装置がディスプレイ装置に結合される例を示す図である。
【図３８】本発明の一実施形態による３Ｄ映像処理装置がディスプレイ装置に結合される例を示す図である。
【図３９】本発明の一実施形態によるディスプレイシステムでディスプレイ装置の映像処理プロセスを３Ｄ映像処理装置によってアップグレードして処理する方法を示すフローチャートである。
【図４０】本発明の一実施形態によるディスプレイシステムでディスプレイ装置の映像処理プロセスを３Ｄ映像処理装置によってアップグレードして処理する方法を示すフローチャートである。
【図４１】本発明の一実施形態によるディスプレイシステムでディスプレイ装置の映像処理プロセスを３Ｄ映像処理装置によってアップグレードして処理する方法を示すフローチャートである。
【図４２】本発明の一実施形態によるディスプレイシステムでディスプレイ装置の映像処理プロセスを３Ｄ映像処理装置によってアップグレードして処理する方法を示すフローチャートである。
【図４３】本発明の一実施形態によるディスプレイシステムでディスプレイ装置の映像処理プロセスを３Ｄ映像処理装置によってアップグレードして処理する方法を示すフローチャートである。
【発明を実施するための形態】
【００７２】
以下、添付図面を参照して本発明の一実施形態による映像処理装置、アップグレード装置、ディスプレイシステム及びその制御方法に対して詳細に説明する
【００７３】
本発明の一実施形態による‘映像処理装置’は、映像信号を処理する装置として、具現の形態に従って、映像信号に基づいて映像を表示するディスプレイ部を内部に備えることができるし、或いは内部にディスプレイ部を備えなくて処理された映像信号を外部のディスプレイ装置に出力することもできる。前述した場合が全部本発明の映像処理装置に該当するか、特に、前者の場合は以下、‘ディスプレイ装置’とも言う。
【００７４】
本発明の一実施形態によるディスプレイシステム１は、図１に示すように、外部の映像供給源（図示せず）から提供される映像信号を既設定された映像処理プロセスにしたがって処理して映像で表示する映像処理装置１００と、映像処理装置１００のハードウェア及び／又はソフトウェアをアップグレードさせるアップグレード装置２００を含む。
【００７５】
本実施形態のシステム１で映像処理装置１００は、放送局の送出装備から受信される放送信号／放送情報／放送データに基づいた放送映像を表示するＴＶで具現される場合に対して説明する。しかし、これは一例に過ぎず、本発明による映像処理装置１００は前述したＴＶ以外にも映像を処理したり映像を処理して表示する多様な種類の装置に適用されることもできる。例えば、ＴＶ以外にもディスプレイなしに映像処理機能だけを行うセットトップボックス（ｓｅｔ−ｔｏｐ  ｂｏｘ）等のような映像処理装置にも適用されることもできる。
【００７６】
前記映像処理装置１００は、表示可能な映像の種類が放送映像に限られず、例えば、映像処理装置１００は多様な形式の映像供給源（図示せず）から受信される信号／データに基づいた動画、停止映像、アプリケーション（ａｐｐｌｉｃａｔｉｏｎ）、ＯＳＤ（ＯＮ−ｓｃｒｅｅｎ  ｄｉｓｐｌａｙ）、多様な動作制御のためのＧＵＩ（ｇｒａｐｈｉｃ  ｕｓｅｒ  ｉｎｔｅｒｆａｃｅ）等の映像を表示することができる。
【００７７】
前記アップグレード装置２００は、映像処理装置１００と通信可能に接続される。アップグレード装置２００は、接続された映像処理装置１００の既存ハードウェア及び／又はソフトウェア構成をアップグレードし、アップグレードされた映像処理装置１００のハードウェア及び／又はソフトウェア構成によって映像信号が処理されることによって、さらに向上された画質の映像が表示されるようにすることができる。
【００７８】
前記映像処理装置１００は、図１に示すように、少なくとも一つの映像供給源（図示せず）から映像信号が入力される第１信号入力部１１０と；前記第１信号入力部１１０を通じて入力された入力信号を処理して第１出力信号を出力する第１映像処理部１３０と；第２映像処理部２２０を備えた前記アップグレード装置２００が接続可能なアップグレード装置接続部１６０と；前記第１映像処理部１３０を制御する第１制御部１４０と；を含む。
【００７９】
前記第１信号入力部１１０は、少なくとも一つの映像供給源から受信される映像信号及び／又は放送信号を第１映像処理部１３０に伝達する。前記第１信号入力部１１０は、放送信号を受信するためのチューナーを含むことができる。
【００８０】
一方、前記第１信号入力部１１０を通じて受信される映像信号の規格は映像供給源及び後述するディスプレイ部１７０の画面具現方式に対応して多様な方式を有することができる。例えば、第１信号入力部１１０は、ＨＤＭＩ（ｈｉｇｈ  ｄｅｆｉｎｉｔｉｏｎ  ｍｕｌｔｉｍｅｄｉａ  ｉｎｔｅｒｆａｃｅ）、ＵＳＢ、コンポーネント（ｃｏｍｐｏｎｅｎｔ）等の規格による信号／データを受信できるし、これらそれぞれの規格に対応する複数の接続端子（図示せず）を含むことができる。このような各接続端子（図示せず）に映像供給源をはじめとする多様な外部装置が接続されることによって、第１信号入力部１１０を通じて映像信号が受信されることができる。
【００８１】
前記第１信号入力部１１０は、前記アップグレード装置２００が前記アップグレード装置接続部１６０に接続された場合、前記制御部１４０の制御によって、入力された入力信号を前記第１映像処理部１３０でない前記アップグレード装置接続部１６０に送信するように設けられることができる。即ち、前記第１信号入力部１１０は、前記入力信号を受信して出力する出力ポートを複数で有するので、前記制御部１４０の制御によって前記入力信号を前記アップグレード装置２００又は前記第１映像処理部１３０に選択的に送信するように設けられることができる。勿論、前記第１信号入力部１１０は、前記第１映像処理部１３０だけに入力信号を提供するように設けられることもできる。
【００８２】
前記第１映像処理部１３０は、第１信号入力部１１０から受信される放送信号を映像信号、音声信号及び付加データで分類するディマルチプレキシングを行うディマルチプレキシング部（図示せず）、分類された映像信号を所定の映像フォーマットにデコーディングするデコーディング部（図示せず）及びデコーディングされた映像信号を後述するディスプレイ部１７０に映像で表示するように所定の解像度でスケーリングするスケーリング部（図示せず）を含むことができる。
【００８３】
また、前記第１映像処理部１３０は、第１信号入力部１１０から受信される映像信号に対しては既設定された多様な映像処理プロセスを行うように設けられることができる。前記第１映像処理部１３０は、このようなプロセスが行われた映像信号を後述するディスプレイ部１７０に出力することによって、ディスプレイ部１７０に該当映像信号に基づく映像が表示されるようにする。
【００８４】
前記第１映像処理部１３０が行う映像処理プロセスの種類は、限定されず、例えば、所定信号を各特性別信号に分配するディマルチプレキシング（ｄｅ−ｍｕｌｔｉｐｌｅｘｉｎｇ）、映像信号の映像フォーマットに対応するデコーディング（ｄｅｃｏｄｉｎｇ）、インターレース（ｉｎｔｅｒｌａｃｅ）方式の映像信号をプログレッシブ（ｐｒｏｇｒｅｓｓｉｖｅ）方式で変換するディ−インタレーシング（ｄｅ−ｉｎｔｅｒｌａｃｉｎｇ）、映像信号を既設定された解像度で調整するスケーリング（ｓｃａｌｉｎｇ）、映像画質改善のためのノイズ減少（ｎｏｉｓｅ  ｒｅｄｕｃｔｉｏｎ）、ディテール強化（ｄｅｔａｉｌ  ｅｎｈａｎｃｅｍｅｎｔ）、フレームリフレッシュレート（ｆｒａｍｅ  ｒｅｆｒｅｓｈ  ｒａｔｅ）変換などを含むことができる。
【００８５】
前記第１映像処理部１３０は、このようなプロセスを行なうための多様なチップセット(図示せず）、メモリー(図示せず）、電子部品(図示せず）、配線(図示せず）等の回路構成が印刷回路基板(図示せず）上に実装された映像処理ボード(図示せず）で具現されることができる。
【００８６】
一方、前記アップグレード装置接続部１６０は、前記映像処理装置１００と前記アップグレード装置２００との間にデータ、信号、情報及び電源の中で少なくともいずれか一つを通信することができるように、前記アップグレード装置２００の本体接続部２１０に接続可能に設けられる。
【００８７】
前記アップグレード装置接続部１６０は、前記第１信号入力部１１０を通じて入力された前記入力信号及び前記第１映像処理部１３０によって出力された前記第１出力信号の中で少なくともいずれか一つを前記本体接続部２１０に送信することができる。
【００８８】
ここで、前記第１出力信号は、第１映像信号及び第１音声信号の中で少なくともいずれか一つを含むことができる。
【００８９】
前記アップグレード装置接続部１６０は、ＨＤＭＩ（ｈｉｇｈ  ｄｅｆｉｎｉｔｉｏｎ  ｍｕｌｔｉｍｅｄｉａ  ｉｎｔｅｒｆａｃｅ）、ＵＳＢ、コンポーネント（ｃｏｍｐｏｎｅｎｔ）等の汎用規格による接続ポートで設けられることもできるし、場合によっては、前記アップグレード装置接続部１６０は、ＬＤＶＳ（Ｌｏｗ  ｖｏｌｔａｇｅ  ｄｉｆｆｅｒｅｎｔｉａｌ  ｓｉｇｎａｌｉｎｇ）規格に従ってデータ／信号／情報／電源通信が可能に設けられることもできる。
【００９０】
前記アップグレード装置接続部１６０は、前記映像処理装置１００と前記アップグレード装置２００との間にデータ、信号、情報及び電源の中で少なくともいずれか一つを互いに通信可能に設けられれば、詳述方式に限られず、多様な方式及び形態で設けられることができる。
【００９１】
前記アップグレード装置接続部１６０は、前記アップグレード装置２００が接続されない場合、前記第１映像処理部１３０によって出力された第１映像信号をディスプレイ部１７に伝達する。
【００９２】
前記アップグレード装置接続部１６０は、前記アップグレード装置２００の前記本体接続部２１０を通じて前記第２映像処理部２２０によって処理された第２出力信号を受信し、受信された第２出力信号を後述するディスプレイ部１７０に送信することができる。
【００９３】
場合によっては、前記アップグレード装置２００が前記映像処理装置１００を経由しなく直接に前記ディスプレイ部１７０に前記第２出力信号を出力するように設けられた場合、前記アップグレード装置接続部１６０が前記第２出力信号を前記アップグレード装置２００から受信できないこともある。
【００９４】
前記アップグレード装置接続部１６０は、前記第１制御部１４０と前記アップグレード装置２００の第２制御部２３０との間の制御命令を互いに通信することができるように設けられることもできる。即ち、前記アップグレード装置接続部１６０は、前記制御命令を送受信するための接続ポートを有することができる。
【００９５】
一方、前記第１制御部１４０は、前記アップグレード装置２００が前記アップグレード装置接続部１６０に接続されない場合に前記第１映像処理部１３０が前記入力信号を処理するように前記第１映像処理部１３０を制御する。
【００９６】
前記第１制御部１４０は、前記アップグレード装置２００が前記アップグレード装置接続部１６０に接続された場合、前記入力信号及び前記第１出力信号の中で少なくとも一つが前記アップグレード装置接続部１６０を通じて前記アップグレード装置２００に送信されて前記第２映像処理部２２０によって信号処理が行われることができるように前記第１信号入力部１１０及び前記第１映像処理部１３０を制御する。
【００９７】
前記第１制御部１４０は、前記アップグレード装置接続部１６０を通じて前記アップグレード装置２００が接続されたか否かを感知することができる。
【００９８】
前記第１制御部１４０は、前記アップグレード装置接続部１６０に前記本体接続部２１０を通じて前記アップグレード装置２００によって処理された第２出力信号が受信される場合、前記第２出力信号を後述するディスプレイ部１７０に送信するように前記アップグレード装置接続部１６０を制御することもできる。
【００９９】
前記映像処理装置１００は、前記第１出力信号に対応する第１映像及び前記アップグレード装置の第２映像処理部２２０によって信号処理されて出力された第２出力信号に対応する第２映像の中で少なくともいずれか一つが表示可能なディスプレイ部１７０をさらに含むことができる。
【０１００】
即ち、前記アップグレード装置２００が前記アップグレード装置接続部１６０に接続されない場合、前記ディスプレイ部１７０には前記第１映像処理部１３０によって出力された第１出力信号に対応する第１映像が表示される。しかし、前記アップグレード装置２００が前記アップグレード装置接続部１６０に接続された場合、前記ディスプレイ部１７０には前記第２映像処理部２２０によって出力された第２出力信号に対応する第２映像が表示される。
【０１０１】
前記ディスプレイ部１７０の具現方式は限られず、液晶（ｌｉｑｕｉｄ  ｃｒｙｓｔａｌ）、プラズマ（ｐｌａｓｍａ）、発光ダイオード（ｌｉｇｈｔ−ｅｍｉｔｔｉｎｇ  ｄｉｏｄｅ）、有機発光ダイオード（ｏｒｇａｎｉｃ  ｌｉｇｈｔ−ｅｍｉｔｔｉｎｇ  ｄｉｏｄｅ）、面伝導電子銃（ｓｕｒｆａｃｅ−ｃｏｎｄｕｃｔｉｏｎ  ｅｌｅｃｔｒｏｎ−ｅｍｉｔｔｅｒ）、炭素ナノチューブ（ｃａｒｂｏｎ  ｎａｎｏ−ｔｕｂｅ）、ナノクリスタル（ｎａｎｏ−ｃｒｙｓｔａｌ）等の多様なディスプレイ方式で具現されることができる。
【０１０２】
前記ディスプレイ部１７０は、その具現方式にしたがって付加的な構成を追加的に含むことができる。例えば、ディスプレイ部１７０が液晶方式である場合、ディスプレイ部１７０は、液晶ディスプレイパネル（図示せず）と、これに光を供給するバックライトユニット（図示せず）と、パネル（図示せず）を駆動させるパネル駆動基板（図示せず）と、を含むことができる。
【０１０３】
また、前記映像処理装置１００は、前記第１映像処理部１３０によって分類された音声信号を所定のフォーマットに変換し増幅するための変換増幅部１８０と；前記増幅された音声信号を出力するための音声出力部１９０と；をさらに含むことができる。ここで、音声出力部１９０は、スピーカーを含むことができる。
【０１０４】
また、前記映像処理装置１００は、ユーザの操作に従って既設定されたコマンドを出力するユーザ入力部１２０と、限定されないデータ／情報が保存される第１保存部１５０をさらに含むことができる。
【０１０５】
ユーザ入力部１２０は、ユーザの操作及び入力によって、既設定された多様な制御コマンド又は限定されない情報を第１制御部１４０に伝達する。ユーザ入力部１２０は、映像処理装置１００外側に設置されたメニューキー（ｍｅｍｕ−ｋｅｙ）及び入力パネル（ｐａｎｅｌ）や、映像処理装置１００と分離離隔されたリモコン（ｒｅｍｏｔｅ  ｃｏｎｔｒｏｌｌｅｒ）等で具現されることができる。
【０１０６】
前記ユーザ入力部１２０は、ブルートゥース又は赤外線通信のような近距離無線通信方式で前記映像処理装置１００と通信するように設けられることができる。この場合、前記ユーザ入力部１２０は、詳述するリモコン以外にも無線キーボード、無線マウス等を含むことができる。
【０１０７】
場合によっては、前記ユーザ入力部１４０は、前記ディスプレイ部１７０と一体型で具現されることができる。即ち、ディスプレイ部１７０がタッチスクリーン（ｔｏｕｃｈ−ｓｃｒｅｅｎ）である場合、ユーザはディスプレイ部１７０に表示された入力メニュー（図示せず）を通じて既設定されたコマンドを第１制御部１４０に伝達することもできる。
【０１０８】
前記第１保存部１５０は、第１制御部１４０の制御に従って限定されないデータが保存される。第１保存部１５０は、フラッシュメモリー（ｆｌａｓｈ−ｍｅｍｏｒｙ）、ハードディスクドライブ（ｈａｒｄ−ｄｉｓｃ  ｄｒｉｖｅ）のような非揮発性メモリーで具現されることができる。第１保存部１５０は、第１制御部１４０によってアクセスされ、第１制御部１４０によるデータの読取／記録／修正／削除／更新等が行われる。
【０１０９】
前記第１保存部１５０には、例えば、映像処理装置１００の駆動のための運営体制を始めとして、前記運営体制上で実行可能な多様なアプリケーション、映像データ、付加データ等が保存されることができる。
【０１１０】
前記第１制御部１５０は、映像処理装置１００の多様な構成に対する制御動作を行う。例えば、第１制御部１５０は、第１映像処理部１３０が処理する映像処理プロセスの進行、前記第１信号入力部１１０を通じる信号／情報／データの送受信動作、前記ユーザ入力部１２０からのコマンドに対する対応制御動作を行うことによって、映像処理装置１００の全体動作を制御することができる。
【０１１１】
一方、前記アップグレード装置２００は、映像処理装置１００に対して有線又は無線で接続されることができる。本実施形態によるアップグレード装置２００及び映像処理装置１００は、互いにデータ／情報／信号／電源を送受信することができるように、有線で接続されることができる。詳述のように、前記アップグレード装置２００は、前記映像処理装置１００と電源及びデータを送受信するための本体接続部２１０を含み、前記映像処理装置１００も前記アップグレード装置２００と電源及びデータを送受信するためのアップグレード装置接続部１６０を含むことができる。即ち、前記アップグレード装置２００は、駆動に必要な電源を前記本体接続部２１０を通じて前記映像処理装置１００から入力されることができる。場合に従って、前記アップグレード装置２００は前記映像処理装置１００から入力された電源を駆動に必要な電源に変換するための電源変換部（図示せず）をさらに含むことができる。
【０１１２】
場合に従って、前記アップグレード装置２００は前記映像処理装置１００から作動に必要な駆動電源を前記本体接続部２１０を通じて直接に入力されなく別途の外部電源（常用電源又はバッテリー）が入力されるように設けられることもできる。
【０１１３】
また、場合に従って、前記アップグレード装置２００は、図１とは異なるように、無線で映像処理装置１００に接続されることもできるし、この場合、アップグレード装置２００は前記映像処理装置１００以外に別途の外部電源又はバッテリーから動作電源が供給されることもできる。
【０１１４】
前記映像処理装置１００は、前記アップグレード装置２００が接続される前には、外部から受信される映像信号を単独で既設定された映像処理プロセスにしたがって処理して映像で表示する。しかし、前記アップグレード装置２００が前記映像処理装置１００に接続される場合、前記映像処理プロセスを行うディスプレイシステム１のハードウェア／ソフトウェア構成がアップグレードされる。これによって、前記アップグレード装置２００によって新しい機能又は深化された機能がユーザに提供されることができる。例えば、前記アップグレード装置２００が接続されることによって前記映像処理装置１００単独で具現されることより高画質の映像が提供されることができる。
【０１１５】
前記アップグレード装置２００は、前記映像処理装置１００に接続可能な本体接続部２１０と；前記本体接続部２１０を通じて前記映像処理装置１００から出力された信号が入力されて処理する第２映像処理部２２と；前記第２映像処理部２２０を制御する第２制御部２３０と；を含む。
【０１１６】
ここで、前記第２映像処理部２２０が前記映像処理装置１００の前記第１制御部１４０によってだけ制御されることで設けられた場合、必要によって前記第２制御部２３０は省略されることもできる。
【０１１７】
前記第２映像処理部２２０は、前記映像処理装置１００から出力された前記第１信号入力部１１０の前記入力信号及び前記第１映像処理部１３０から出力された第１出力信号の中でいずれか一つを処理して第２出力信号を出力する。
【０１１８】
前記第２映像処理部２２０によって出力された前記第２出力信号は再び前記本体接続部２１０及び前記アップグレード装置接続部１６０を通じて前記ディスプレイ部１７０に伝達される。これによって、前記第２出力信号に対応する第２映像が前記ディスプレイ部１７０に表示されることができる。前記第２映像処理部２２０は、前記第１映像処理部１３０の機能を深化したことや、第１映像処理部１３０で行うことができない機能を追加的に行うことができるので前記ディスプレイ部１７０には既存映像処理装置１００で具現できなかったり具現し難いアップグレードされた映像が表示されることができる。
【０１１９】
例えば、前記第１映像処理部１３０ではＦｕｌｌ  ＨＤ級映像を提供できないのに前記第２映像処理部２２０によってＦｕｌｌ  ＨＤ級映像が提供されることができる。また、前記第１映像処理部１３０では３Ｄ画面が提供されることができないことを前記第２映像処理部２２０を通じて３Ｄ画面が具現されることもできる。勿論、このように追加及び拡張される機能は一例に過ぎず多様に変更されることができる。
【０１２０】
ここで、前記第２映像処理部２２０は、映像信号以外にも前記音声信号も再処理することもできるし、これによって、再処理されてアップグレードされた音声信号が前記映像処理装置１００に提供されることもできる。
【０１２１】
一方、前記アップグレード装置２００は放送信号又は映像供給源から映像信号が入力されて、前記第２映像処理部２２０に伝達する第２信号入力部２５０をさらに含むことができる。
【０１２２】
以上では、前記放送信号又は映像信号が前記映像処理装置１１０の前記第１信号入力部１１０を通じて受信又は入力されることに対して説明したが、場合によっては、前記アップグレード装置２００が前記第２信号入力部２５０を備えて、前記映像処理装置１１０とは別途で放送信号又は映像信号が入力されることもできる。この場合、前記映像処理装置１００の前記第１制御部１４０は、前記アップグレード装置接続部１６０に前記アップグレード装置２００が接続されたことで感知された場合、前記第１信号入力部１１０及び前記第１映像処理部１３０の動作を停止させることができる。この時、前記第２信号入力部２５０を通じて入力された入力信号（放送信号又は映像信号）は前記第２映像処理部２２０に送信されて映像処理され、第２映像処理部２２０によって出力された第２出力信号は前記映像処理装置１００の前記アップグレード装置接続部１６０を通じて前記ディスプレイ部１７０に送信されることができる。これによって、前記ディスプレイ部１７０には前記第２出力信号に対応する第２映像が表示されることができる。
【０１２３】
一方、他の例として、前記第２信号入力部２５０を通じて前記アップグレード装置２００が独自的に放送信号又は映像信号が入力される場合、前記第１制御部１４０は前記第１信号入力部１１０を通じて入力される入力信号を処理して第１出力信号を前記ディスプレイ部１７０に出力するように前記第１映像処理部１３０を制御することができる。ここで、前記ディスプレイ部１７０上には前記第１出力信号に対応する第１映像が主画面又は副画面で表示されることができる。これと同時に、前記アップグレード装置２００は、前記第２信号入力部２５０を通じて受信された放送信号又は映像信号が入力される場合これを前記第２映像処理部２２０で処理して第２出力信号を前記ディスプレイ部１７０に送信することができる。これによって、前記ディスプレイ部１７０上には前記第２出力信号に対応する第２映像が前記第１映像に対応して副画面又は主画面と表示されることができる。即ち、前記映像処理装置１００の第１信号入力部１１０を通じて入力される第１入力信号と前記アップグレード装置２００の第２信号入力部２５０を通じて入力される第２入力信号が処理された第１及び第２映像が各々前記ディスプレイ部１７０でＰＩＰ（Ｐｉｃｔｕｒｅ  ｉｎ  ｐｉｃｔｕｒｅ）として表示されることもできる。
【０１２４】
前記映像処理装置１００の前記第１制御部１４０は、前記アップグレード装置２００が接続されたと感知された場合、前記第１映像処理部１３０及び前記第１信号入力部１１０を前記アップグレード装置２００の前記第２制御部２３０とともに共同で制御することもできる。例えば、前記第１制御部１４０が前記第１映像処理部１３０の前記ディマルチプレキシング部（図示せず）、前記デコーディング部（図示せず）及び前記スケーリング部（図示せず）の中で一部の制御を担当し、前記第２制御部２３０が残りの制御を担当するように設けられることもできる。
【０１２５】
場合に従っては、前記第１制御部１４０が優先的に前記第１信号入力部１１０及び前記第１映像処理部１３０を制御する権限を有し前記第２制御部２３０が前記第１制御部１４０を補助するように設けられることもできる。
【０１２６】
場合によっては、反対に前記第２制御部２３０が優先的に前記第１信号入力部１１０及び前記第１映像処理部１３０を制御する権限を有して前記第１制御部１４０が前記第２制御部２３０を補助するように設けられることもできる。
【０１２７】
一方、前記映像処理装置１００の前記第１制御部１４０は、前記アップグレード装置２００が接続されたと感知された場合、前記第１制御部１４０の制御機能を前記第２制御部２３０に完全に移転することもできる。この時、前記制御部１４０は、制御命令を下さないで、既存の前記第１制御部１４０により制御される制御対象と前記第２制御部２３０との制御命令は伝達する機能だけを行うこともできる。場合によっては、前記第２制御部２３０と既存の前記第１制御部１４０により制御される制御対象間の制御命令を送受信するための専用制御通信ラインが別途に設けられることもできる。
【０１２８】
前記アップグレード装置２００は第２保存部２４０をさらに含むことができる。前記第２保存部２４０には限定されないデータが保存される。
【０１２９】
前記第２保存部２４０はフラッシュメモリー（ｆｌａｓｈ−ｍｅｍｏｒｙ）、ハードディスク
ドライブ（ｈａｒｄ−ｄｉｓｃ  ｄｒｉｖｅ）のような非揮発性メモリーで具現される。前記第２保存部２４０は前記第１制御部１４０又は前記第２制御部２３０によってアクセスされ、これによるデータの読取／記録／修正／削除／更新等が行われる。一方、第１保存部１５０も具現方式にしたがって第１制御部１４０だけでなく第２制御部２３０によってアクセスされることもできる。
【０１３０】
また、前記第２保存部２４０には前記第１保存部１５０に保存された運営体制よりアップグレードされた運営体制が保存されることができるし、前記第１制御部１４０又は前記第２制御部２３０は前記第１保存部１５０に保存された運営体制を前記アップグレードされた運営体制でアップデートさせ、アップデートされた運営体制を駆動することができる。場合によっては、前記第１保存部１５０に保存された運営体制の代りに前記第２保存部２４０の運営体制を駆動させることもできる。
【０１３１】
本発明の一実施形態によるディスプレイシステム１ａは、図２に示すように、映像処理装置１００ａ及び前記映像処理装置１００ａに接続可能なアップグレード装置２００ａを含む。参考で、第１実施形態と同じ構成要素に対しては同じ参照番号を付与して、重複説明を省略することにする。
【０１３２】
本発明の一実施形態による映像処理装置１００ａは放送信号を受信したり映像供給源（図示せず）から映像信号が入力されて、前記第１映像処理部１３０又はアップグレード装置接続部１６０ａに選択的に伝達する第１信号入力部１１０と；前記第１信号入力部１１０によって入力された放送信号及び／又は映像信号を処理して第１出力信号を出力する第１映像処理部１３０と；前記第１出力信号及び／又は前記第１信号入力部１１０を通じて入力された入力信号を前記アップグレード装置に送信するためのアップグレード装置接続部１６０ａと；前記アップグレード装置２００ａが前記アップグレード装置接続部１６０ａに接続されない場合に前記第１映像処理部１３０が前記第１信号入力部１１０を通じて入力された入力信号を処理するように前記第１映像処理部１３０を制御し、前記アップグレード装置２００ａが前記アップグレード装置接続部１６０ａに接続された場合に前記入力信号及び前記第１出力信号の中で少なくとも一つが前記アップグレード装置接続部１６０ａに送信されて前記第２映像処理部２２０により信号処理が行われるように前記第１信号入力部１１０及び前記第１映像処理部１３０を制御する第１制御部１４０と；を含む。
【０１３３】
ここで、前記第１出力信号は第１音声信号と第１映像信号を含む。
【０１３４】
前記第１映像処理部１３０は、詳述のように、第１信号入力部１１０から受信される放送信号を映像信号、音声信号及び付加データで分類するディマルチプレキシングを行うディマルチプレキシング部（図示せず）、分類された映像信号を所定の映像フォーマットにデコーディングするデコーディング部（図示せず）及びデコーディングされた映像信号を後述するディスプレイ部１７０に映像で表示するように所定の解像度でスケーリングするスケーリング部（図示せず）を含むことができる。
【０１３５】
ここで、前記第１映像信号は、前記ディマルチプレキシング部（図示せず）によって分類された映像信号又は前記デコーディング部によってデコーディングされた映像信号又は所定の解像度でスケーリングされた映像信号でありうる。
【０１３６】
ここで、前記第１音声信号は前記ディマルチプレキシング部（図示せず）によって分類された音声信号でありうる。
【０１３７】
前記アップグレード装置接続部１６０ａは、前記第１映像信号及び前記第１信号入力部１１０に入力された入力信号（放送信号又は映像供給源から供給された映像信号）の中で少なくともいずれか一つを前記アップグレード装置２００ａに送信するための第１接続部１６１と；前記アップグレード装置２００ａと制御信号及び／又は第１音声信号の中で少なくともいずれか一つを送受信するための第２接続部１６３と；を含む。
【０１３８】
前記第１映像処理部１３０により処理された放送信号に含まれた付加データは、前記第１接続部１６１及び前記第２接続部１６３の中で少なくともいずれか一つを通じて前記アップグレード装置２００ａに送信されることができる。
【０１３９】
前記第１接続部１６１は、前記映像処理装置１００ａから前記アップグレード装置２００ａに第１映像信号及び／又は入力信号を一方向に送信するために設けられる。
【０１４０】
前記第２接続部１６３は、前記制御信号及び／又は前記第１音声信号を前記映像処理装置１００ａと前記アップグレード装置２００ａとの間に両方向に送受信するために設けられる。
【０１４１】
即ち、本一実施形態のアップグレード装置接続部１６０ａは、映像信号／制御信号／音声信号を互いに別途の接続部を通じて映像処理装置２００ａと通信するという点、映像信号は一方向で映像処理装置１００ａからアップグレード装置２００ａに送信されるが、制御信号／音声信号は双方向で通信することができる。
【０１４２】
一方、本発明の一実施形態によるアップグレード装置２００ａは、前記映像処理装置１００ａの前記アップグレード装置接続部１６０ａと接続可能な本体接続部２１０ａと、第２映像処理部２２０、前記第２映像処理部２２０を制御する第２制御部２３０及び前記ディスプレイ部１７０に前記第２映像処理部２２０により処理された第２映像信号を提供するためのディスプレイ接続部２６０と、を含む。
【０１４３】
前記本体接続部２１０ａは、前記映像処理装置１００ａの前記第１接続部１６１及び前記第２接続部１６３に各々接続可能な第１本体接続部２１１及び第２本体接続部２１３を含む。
【０１４４】
前記第１接続部１６１及び前記第１本体接続部２１１は互いに有線又は無線で連結することができる。例えば、有線連結は、前記第１接続部及び前記第１本体接続部２１１が互いにコネクター（図示せず）及びケーブル（図示せず）によって連結されることもできる。
【０１４５】
前記第２接続部１６３及び前記第２本体接続部２１３も互いに有線又は無線で連結されることができる。例えば、有線連結は、前記第２接続部１６３及び前記第２本体接続部２１３が互いにコネクター（図示せず）及びケーブル（図示せず）によって連結されることもできる。
【０１４６】
前記第１本体接続部２１１を通じて入力された前記入力信号及び／又は前記第１映像信号は、前記第２映像処理部２２０に提供され、前記第２本体接続部２１３を通じて入力された音声信号及び／又は制御信号は前記第２制御部２３０又は前記第２映像処理部２２０に提供される。
【０１４７】
前記第２映像処理部２２０は前記本体接続部２１０ａを通じて入力された前記入力信号及び／又は前記第１映像信号を処理して第２映像信号を出力する。
【０１４８】
前記出力された第２映像信号は、前記ディスプレイ接続部２６０を通じて前記ディスプレイ部１７０に送信されて、前記第２映像信号に対応する第２映像が前記ディスプレイ部１７０に表示されることができる。ここで、前記ディスプレイ部１７０は前記ディスプレイ接続部２６０に接続するための接続部１７１を含むことができる。
【０１４９】
ここで、前記接続部１７１及び前記ディスプレイ接続部２６０は各々コネクターを含むことができるし、前記接続部１７１及び前記ディスプレイ接続部２６０はケーブルによって有線で連結されることができる。また場合によっては、前記接続部１７１及び前記ディスプレイ接続部２６０は無線で連結されることもできる。
【０１５０】
一方、前記第２映像処理部２２０は前記映像処理装置１００ａから送信された第１音声信号を処理した第２音声信号を出力することができる。出力された前記第２音声信号は前記第２本体接続部２１３及び前記第２接続部１６３を通じて前記変換増幅部１８０に送信されて前記音声出力部１９０を通じて音声出力されることができる。
【０１５１】
ここで、前記アップグレード装置２００ａで処理された第２音声信号は前記第２接続部１６３から前記第１映像処理部１３０を経由して前記変換増幅部１８０に送信されることができる。場合によっては、前記第２接続部１６３から直に前記変換増幅部１８０に送信されるように設けられることもできる。
【０１５２】
前記変換増幅部１８０によって増幅された音声信号は互いに着脱可能に接続された音声出力接続部１９３及び接続部１９１を通じて音声出力部１９０に送信されて音声出力されることができる。前記接続部１９１は前記音声出力部１９０に設けられることができるし、前記音声出力接続部１９３は映像処理ボード１０１上に設けられることができる。
【０１５３】
ここで、前記映像処理装置１００ａに前記アップグレード装置２００ａが装着される前には、前記映像処理ボード１０１上の第１接続部１６１と前記ディスプレイ部１７０の前記接続部１７１が互いにケーブル（図示せず）及びコネクター（図示せず）によって有線で接続されることができる。また、前記第２接続部１６３はアップグレード装置２００ａの設置を備えて設けられたのでアップグレード装置２００ａが装着される前には未接続状態で存在する。
【０１５４】
前記映像処理装置１００ａに前記アップグレード装置２００ａを設置して映像処理装置１００ａの機能をアップグレードしようとする場合、前記第１接続部１６１と前記ディスプレイ部１７０の前記接続部１７１との連結を解除して前記第１接続部１６１と前記アップグレード装置２００ａの前記第１本体接続部２１１をケーブル（図示せず）又はコネクター（図示せず）を利用して連結し、前記第２接続部１６３と前記第２本体接続部２１３も同じ方式で連結する。また、前記アップグレード装置２００ａの前記ディスプレイ接続部２６０と前記連結解除された前記ディスプレイ部１７０の前記接続部１７１を互いに有線又は無線で連結する。前記第１及び第２接続部１６１、１６３と前記第１及び第２本体接続部２１１、２１３との連結は前述したケーブル及びコネクターによる有線方式の以外にも無線によっても行われることができる。
【０１５５】
本発明の一実施形態によるディスプレイシステム１ｂは、図３に示すように、アップグレード装置２００ｂと前記アップグレード装置２００ｂに機能がアップグレード可能な映像処理装置１００ｂを含む。
【０１５６】
前記映像処理装置１００ｂは、図３に示すように、放送信号又は映像供給源から映像信号が入力されて第１映像処理部１３０に伝達する第１信号入力部１１０と；前記第１信号入力部１１０によって入力された映像信号又は放送信号を処理して第１出力信号を出力する第１映像処理部１３０と；前記第１映像処理部１３０を制御する第１制御部１４０と；前記第１保存部１５０と；前記アップグレード装置２００ｂが接続可能なアップグレード装置接続部１６０ｂと；ディスプレイ部１７０と；前記ディスプレイ部１７０が接続可能なディスプレイ接続部１７３と；前記第１映像処理部１３０により処理された音声信号を変換及び増幅するための変換増幅部１８０と；音声出力部１９０と；前記音声出力部１９０を接続するための音声出力接続部１９３と；を含む。
【０１５７】
前記第１信号入力部１１０、前記第１映像処理部１３０、前記制御部１４０及び前記アップグレード装置接続部１６０ｂ、前記ディスプレイ接続部１７３は単一又は複数の映像処理ボード上に搭載されることができる。
【０１５８】
一実施形態の映像処理装置１００ａと比較して、本一実施形態の映像処理装置１００ｂはディスプレイ部１７０を接続するためのディスプレイ接続部１７３が映像ボード処理ボード上に設けられる。参考で、一実施形態では図２に示すように、ディスプレイ接続部２６０がアップグレード装置２００ａに設けられる。
【０１５９】
前記映像処理装置１００ｂは、図４に示すように、前記アップグレード装置２００ｂが前記アップグレード装置接続部１６０に接続されない場合に前記第１映像処理部１３０により出力された前記第１出力信号が前記ディスプレイ部１７０、正確には前記ディスプレイ接続部１７３に送信されるように前記アップグレード装置接続部１６０ｂに挿入される信号連結部材１６８をさらに含む。
【０１６０】
前記アップグレード装置接続部１６０ｂは、前記第１映像処理部１３０による第１出力信号が入力される第１入力信号端１６１ｂと、前記第１入力信号端１６１ｂと離隔されて前記ディスプレイ部１７０に出力される信号が出力されるディスプレイ部出力端１６３ｂを含む。
【０１６１】
前記信号連結部材１６８は、前記第１入力信号端１６１ｂと前記ディスプレイ部出力端１６３ｂとの間に介在されて両者を互いに電気的に連結する信号接続端１６８aを含む。これによって、前記アップグレード装置２００ｂが前記アップグレード装置接続部１６０ｂに挿入される前には前記信号連結部材１６８によって第１映像処理部１３０によって処理された第１出力信号が前記ディスプレイ部１７０に送信されることができる。
【０１６２】
一方、前記アップグレード装置２００ｂは、前記第１入力信号端１６１ｂから前記第１出力信号が入力されて前記ディスプレイ部出力端１６３ｂを通じて第２映像処理部２２０によって処理された第２出力信号を前記ディスプレイ部１７０、正確には前記ディスプレイ接続部１７３に送信可能な本体接続部２１０ａを含む。
【０１６３】
前記本体接続部２１０ａは前記アップグレード装置接続部１６０ｂに挿入可能に突出するように設けられることができる。
【０１６４】
また、前記アップグレード装置２００ｂは前記第１入力信号端１６１ｂ及び前記本体接続部２１０ａを通じて入力された前記第１出力信号を処理して第２出力信号を出力する第２映像処理部２２０と；前記第２映像処理部２２０を制御する第２制御部２３０及び前記第２保存部２４０と；前記第２映像処理部２２０、前記第２制御部２３０及び前記第２保存部２４０を受容するアップグレード装置ケーシングをさらに含むことができる。
【０１６５】
前記アップグレード装置２００ｂを前記アップグレード装置接続部１６０ｂに接続しようとする場合、まず前記信号連結部材１６８を前記アップグレード装置接続部１６０ｂから除去し、その次に前記アップグレード装置２００ｂの前記本体接続部２１０ａを前記アップグレード装置接続部１６０ｂに挿入する。
【０１６６】
本発明の一実施形態によるディスプレイシステム１ｃは、図５に示すように、前記アップグレード装置２００ｂ及び前記アップグレード装置２００ｂが接続される場合機能がアップグレード可能な映像処理装置１００ｃを含む。
【０１６７】
前記映像処理装置１００ｃは、前記第１映像処理部１３０により出力された第１映像信号を前記アップグレード装置接続部１６０及びデータ選択部１６９に分配するデータ分配部１７８と；前記アップグレード装置接続部１６０を通じて出力される第２映像信号及びデータ分配部１７８を通じて分配された第１映像信号の中でいずれか一つを選択するデータ選択部１６９と；前記データ分配部１７８及び前記データ選択部１６９を制御する第１制御部１４０と；を含む。
【０１６８】
前記データ分配部１７８は第１映像信号を前記第１制御部１４０の制御信号によって複数の出力信号で分配するディマルチプレキサーを含むことができる。
【０１６９】
前記データ選択部１６９は前記第１映像信号及び前記第２映像信号の中で一つを前記第１制御部１４０の制御信号によって選択するマルチプレキサーを含むことができる。
【０１７０】
前記第１制御部１４０は、前記アップグレード装置２００ｂが前記映像処理装置１００ｃに接続されない場合、前記第１映像処理部１３０から出力された前記第１出力信号が前記ディスプレイ部に出力されるように前記データ分配部１６１及び前記データ選択部１６９を制御する。ここで、前記第１出力信号は詳述のように、第１映像信号及び第１音声信号の中で少なくともいずれか一つを含む。
【０１７１】
さらに詳しく説明すれば、前記第１制御部１４０は前記アップグレード装置接続部１６０に前記アップグレード装置２００ｂが接続されない場合、前記データ分配部１７８が前記第１映像処理部１３０により出力された前記第１映像信号を前記データ選択部１６９に分配するように制御する。また、前記第１制御部１４０は前記データ選択部１６９を制御して前記データ分配部１７８から出力された前記第１映像信号を選択して前記ディスプレイ接続部１７３に出力するようにする。これによって、前記第１映像信号に対応する第１映像が前記ディスプレイ部１７０に表示されることができる。
【０１７２】
前記第１制御部１４０は、前記アップグレード装置２００ｂが接続された場合、前記第１映像処理部１３０から出力された前記第１出力信号が前記アップグレード装置接続部１６０に分配され、前記アップグレード装置２００ｂにより出力された第２出力信号が前記ディスプレイ部１７０に出力されるように前記データ分配部１７８及び前記データ選択部１６９を制御する。
【０１７３】
さらに詳しく説明すれば、前記第１制御部１４０は前記アップグレード装置接続部１６０に前記アップグレード装置２００ｂが接続された場合、前記データ分配部１７８が前記第１映像処理部１３０により出力された前記第１映像信号を前記アップグレード装置接続部１６０に分配するように制御する。これによって、前記アップグレード装置接続部１６０に送信された前記第１映像信号は前記本体接続部２１０ａを通じて前記第２映像処理部２２０に入力される。前記第２映像処理部２２０は入力された前記第１映像信号を処理して第２映像信号に出力し、前記出力された第２映像信号は前記本体接続部２１０ａ及び前記アップグレード装置接続部１６０を通じて前記データ選択部１６９に入力される。前記データ選択部１６９は、前記第１制御部１４０の制御命令によって、前記第２映像信号を選択して前記ディスプレイ接続部１７３に出力する。これによって、前記第２映像信号に対応する第２映像が前記ディスプレイ部１７０に表示されることができる。ここで、
前記第２映像信号は前記第１映像信号に比べて既存の機能が向上されたり前記第１映像信号にはない新しい機能が付加されたことでありうる。
【０１７４】
これによって、ユーザは前記アップグレード装置２００ｂを前記映像処理装置１００ｃに装着することによってアップグレードされた映像を視聴することができる。
【０１７５】
前記アップグレード装置２００ｂが前記アップグレード装置接続部１６０に接続された場合、前記アップグレード装置接続部１６０を通じて前記第１映像処理部１３０により出力された第１出力信号が前記第２映像処理部２２０に入力されて第２出力信号が出力されることができる。
【０１７６】
ここで、前記第１出力信号は第１映像信号以外にも第１音声信号が含まれることができる。
【０１７７】
前記第１音声信号が前記アップグレード装置接続部１６０を通じて前記第２映像処理部２２０に入力され、前記第２映像処理部２２０により処理された第２音声信号が出力されることができる。前記第２映像処理部２２０により出力された前記第２音声信号は前記アップグレード装置接続部１６０、前記第１映像処理部１３０及び前記変換増幅部１８０を経由して前記音声出力部１９０を通じて出力されることができる。
【０１７８】
一方、以上では前記データ分配部１７８及び前記データ選択部１６９が前記第１制御部１４０により制御されるように説明したが、場合にしたがって前述の内容と同じ機能を行うように、前記アップグレード装置２００ｂの前記第２制御部２３０が前記データ分配部１６１及び前記データ選択部１６９を制御することもできる。
【０１７９】
本発明の一実施形態によるディスプレイシステム１ｄは、図６に示すように、前記アップグレード装置２００ｂ及び前記アップグレード装置２００ｂが接続可能に設けられた映像処理装置１００ｄを含む。
【０１８０】
前記映像処理装置１００ｄは、前記第１信号入力部１１０を通じて入力された入力信号を処理して第１映像信号を各々第１出力ポート１３０ａ１及び第２出力ポート１３０ａ２を通じて出力する第１映像処理部１３０ａと；前記第１映像処理部１３０ａの第１出力ポートから出力された前記第１映像信号を受領する前記アップグレード装置接続部１６０ｂと；前記第１映像処理部１３０ａの第２出力ポート１３０ａ２から出力された前記第１映像信号を前記ディスプレイ部１７０に選択的に送信するための映像信号スイッチ１６５と；を含む。
【０１８１】
ここで、一実施形態の場合、図４に示すように、前記アップグレード装置２００ｂが前記アップグレード装置接続部１６０ｂに接続される前に前記信号連結部材１６８が前記アップグレード装置接続部１６０ｂに挿入されるように説明したが、本一実施形態の場合に前記アップグレード装置接続部１６０ｂに前記アップグレード装置２００ｂが接続される前に前記信号連結部材１６８が挿入されない。
【０１８２】
即ち、前記アップグレード装置２００ｂが接続される前には、前記アップグレード装置接続部１６０ｂの前記第１入力信号端１６１ｂ及び前記ディスプレイ部出力端１６３ｂが互いに短絡されず物理的にオープンされた状態で維持される。これによって、前記第１入力信号端１６１ｂに入力された前記第１映像処理部１３０による第１出力信号が前記ディスプレイ部出力端１６３ｂを通じて前記ディスプレイ部１７０に出力されない。
【０１８３】
前記第１制御部１４０は、前記アップグレード装置接続部１６０ｂに前記アップグレード装置２００ｂが接続されない場合、前記第１映像信号が前記ディスプレイ部１７０に、正確には前記ディスプレイ接続部１７３に送信されるように前記映像信号スイッチ１６５をオンさせる。これによって、前記ディスプレイ部１７０には前記第１映像信号に対応する第１映像が表示される。
【０１８４】
前記第１制御部１４０は、前記アップグレード装置接続部１６０ｂに前記アップグレード装置２００ｂが接続されたと感知された場合、前記第１映像信号が直に前記ディスプレイ部１７０に伝達されないように前記映像信号スイッチ１６５４をオフさせる。これによって、前記アップグレード装置接続部１６０ｂに入力される前記第１映像信号が前記本体接続部２１０を通じて前記アップグレード装置２００ｂに伝達されて前記第２映像処理部２２０により処理されることができる。前記第２映像処理部２２０により処理された第２映像信号は前記アップグレード装置接続部１６０ｂを通じて前記ディスプレイ部１７０に送信される。これによって、前記第２映像信号に対応する第２映像が前記ディスプレイ部１７０に表示されることができる。
【０１８５】
ここで、前記映像信号スイッチ１６５は、ＬＶＤＳ（Ｌｏｗ  ｖｏｌｔａｇｅ  ｄｉｆｆｅｒｅｎｔｉａｌ  ｓｉｇｎａｌｉｎｇ）規格により高速で動作が可能な電気的信号システムに適合したスイッチで設けられることができる。前記映像信号スイッチ１６５は高速データ送信が可能なバス（ＢＵＳ）のスイッチで設けられることができる。
【０１８６】
本発明の一実施形態によるディスプレイシステム１ｅは、図７に示すように、前記アップグレード装置２００ｂ及び前記アップグレード装置２００ｂが接続可能に設けられた映像処理装置１００eを含む。
【０１８７】
前述した一実施形態と比較して、本一実施形態の前記映像処理装置１００eは前記第１信号入力部１１０を通じて入力された入力信号を処理して単一の出力ポートを通じて第１映像信号を出力する第１映像処理部１３０を含む。
【０１８８】
前記第１映像処理部１３０の単一出力ポートを通じて出力された前記第１映像信号は前記アップグレード装置接続部１６０ｂ及び前記映像信号スイッチ１６５に分岐されて入力される。
【０１８９】
その他の構成は前述した一実施形態と同じなので詳しい説明は省略する。
【０１９０】
本発明の一実施形態によるディスプレイシステム１ｆは、図８、図９及び図１０に示すように、前記アップグレード装置２００ｂ及び前記アップグレード装置２００ｂが接続されてアップグレード可能に設けられる映像処理装置１００ｆを含む。
【０１９１】
前記映像処理装置１００ｆは、前記アップグレード装置２００ｂが挿入されない場合及び挿入された場合にしたがって前記第１映像処理部１３０から出力された前記第１出力信号及び前記第２映像処理部２２０から出力された前記第２出力信号の中でいずれか一つを選択的に前記ディスプレイ部１７０に送信できるアップグレード装置接続部１６０ｃを含む。
【０１９２】
本実施形態の前記アップグレード装置接続部１６０ｃは、前述した色々な実施形態で第１出力信号及び第２出力信号を選択的にディスプレイ部１７０に選択的に送信するために備わった前記信号連結部材（図４の１６８）、前記データ分配部１７８及び前記データ選択部１６９、前記映像信号スイッチ１６５のような構成がなくても、単独で前記第１出力信号及び前記第２出力信号をスイッチングすることができるように設けられる。
【０１９３】
前記アップグレード装置接続部１６０ｃは前記第１映像処理部１３０から出力された第１出力信号が入力される第１入力信号端１６１ｃと；前記第１出力信号及び前記第２出力信号の中でいずれか一つを前記ディスプレイ部１７０に出力するように、前記アップグレード装置２００ｂの接続可否に従って前記第１入力信号端１６１ｃ及び前記アップグレード装置２００ｂの本体接続部２１０中いずれか一つに選択的に接触するように設けられたディスプレイ部出力端１６３ｃと；を含む。
【０１９４】
ここで、前記第１入力信号端１６１ｃ及び前記ディスプレイ部出力端１６３ｃの中で少なくともいずれか一つは、前記アップグレード装置２００ｂが接続されない場合に互いに接触するようにお互いに対して接近する方向で接近移動して、前記アップグレード装置２００ｂが接続された場合に互いに接触解除されるように互いに遠ざかる方向で後退移動するように設けられることができる。
【０１９５】
さらに詳しく説明すれば、図９及び図１０に示すように、前記第１入力信号端１６１ｃの第１接触部１６１ｃ１と前記ディスプレイ部出力端１６３ｃの第２接触部１６３ｃ１は、前記アップグレード装置２００ｂが挿入されない場合、互いに接触するように接近移動する。
【０１９６】
ここで、前記映像処理装置１００ｆは前記アップグレード装置２００ｂが前記アップグレード装置接続部１６０ｃに接続されない場合、前記第１入力信号端１６１ｃと前記ディスプレイ部出力端１６３ｃが互いに接触するように前記第１入力信号端１６１ｃと前記ディスプレイ部出力端１６３ｃの中で少なくともいずれか一つに弾性バイアス力Ｆ１、Ｆ２を提供するための弾性部材１６５ｃをさらに含むことができる。
【０１９７】
もし、前記第１入力信号端１６１ｃ及び前記ディスプレイ部出力端１６３ｃの間に前記アップグレード装置２００ｂの前記本体接続部２１０ａが挿入される場合、前記第１接触部１６１ｃ１及び前記第２接触部１６３ｃ１が互いに離隔されるように前記第１入力信号端１６１及び前記ディスプレイ部出力端１６３ｃがお互いに対して遠ざかる方向に移動する。これと共に、前記第１入力信号端１６１ｃは前記本体接続部２１０ａの入力端（図示せず）と接触され前記ディスプレイ部出力端１６３ｃは前記本体接続部２１０ａの出力端２１２と接触する。これによって、前記本体接続部２１０ａの入力端を通じて前記第１出力信号が入力され前記入力された第１出力信号は前記第２映像処理部２２０により処理されて第２出力信号として前記本体接続部２１０ａの出力端２１２を通じて前記ディスプレイ部出力端１６３ｃに出力される。
【０１９８】
これによって、前記アップグレード装置接続部１６０ｃに前記アップグレード装置２００ｂが挿入されない場合には前記第１出力信号が前記ディスプレイ部出力端１６３ｃを通じて前記ディスプレイ部１７０に送信されることができるし、前記アップグレード装置接続部１６０ｃに前記アップグレード装置２００ｂが挿入された場合には前記第２出力信号が前記ディスプレイ部出力端１６３ｃを通じて前記ディスプレイ部１７０に送信されることができる。
【０１９９】
ここで、前記本体接続部２１０ａは前記第１入力信号端１６１ｃに向かう第１面２１３と前記ディスプレイ部出力端１６３ｃに対向する第２面２１４を有し、前記第１面２１３に前記入力端（図示せず）が設けられ前記第２面２１４には前記出力端２１２が設けられることができる。
【０２００】
一方、図９及び図１０では前記第１入力信号端１６１ｃ及び前記ディスプレイ部出力端１６３ｃが全部お互いに対して接近及び離隔移動することに対して示したが、場合によっては前記第１入力信号端１６１ｃ及び前記ディスプレイ出力端１６３ｃの中でいずれか一つは固定され他の一つだけが往復移動可能に設けられることもできる。
【０２０１】
また、図９及び図１０では前記第１入力信号端１６１ｃ及び前記ディスプレイ出力端１６３ｃの中で少なくともいずれか一つが移動することにたいして示したが、場合によっては前記第１入力信号端１６１ｃ及び前記ディスプレイ出力端１６３ｃが移動せずそれ自体で形状変形可能な弾性材質で設けられることもできる。この場合、前記本体接続部２１０が挿入される場合に前記第１入力信号端１６１ｃ及び前記ディスプレイ出力端１６３ｃが前記本体接続部２１０との接触によって形状が変形されることによって前記第１入力信号端１６１及び前記ディスプレイ出力端１６３ｃが互いに接触解除されることもできる。
【０２０２】
図１１乃至図１７は、本発明の他の実施形態による映像処理装置のアップグレード装置接続部とアップグレード装置と間の接続方式を説明するための斜視図、拡大図及び断面図である。図１１及び図１２に示すように、アップグレード装置２００の本体接続部２１０は中間基板１１０１を媒介として映像処理装置１００のアップグレード装置接続部１６０に接続されることができる。
【０２０３】
図１３に示すように、アップグレード装置接続部１６０は中間基板１１０１がアップグレード装置接続部１６０に固定的に挿入されるようにする固定部１６０１を含むことができる。固定部１６０１は弾性を有するフック構造を備えて中間基板１１０１が挿入される場合に中間基板１１０１をアップグレード装置接続部１６０に固定する。
【０２０４】
図１４はアップグレード装置２００の本体接続部２１０が中間基板１１０１を媒介として映像処理装置１００のアップグレード装置接続部１６０に接続された状態を図示する断面図である。図１５はアップグレード装置接続部１６０の断面図及び端子部分の拡大図を示す。図１５に示すように、アップグレード装置接続部１６０の端子１６０２はハウジング１６０３により保護されることができる。
【０２０５】
図１６及び図１７は本発明のまた他の実施形態による映像処理装置のアップグレード装置接続部とアップグレード装置との間の接続方式を説明するための斜視図である。図１６に示すように、アップグレード装置２００の本体接続部２１０１は端子部２１０２を含み、図１７に示すように、映像処理装置１００のアップグレード装置接続部１６０４内に挿入される形態で結合されることができる。
【０２０６】
本発明の一実施形態によるディスプレイシステム１ｇは図１８に示すように、前記アップグレード装置２００ｂ及び前記アップグレード装置２００ｂによりアップグレード可能な映像処理装置１００ｇを含む。
【０２０７】
本一実施形態によるディスプレイシステム１ｇの映像処理装置１００ｇは、図７の一実施形態のディスプレイシステム１ｅと比較して無線ユーザ入力部１２０ａ、無線通信部１８３、カメラ部１８５及び制御経路転換スイッチ１８７をさらに含む。
【０２０８】
前記無線ユーザ入力部１２０ａは無線でユーザから制御入力信号等が入力されるためのものとして、リモコン、無線キーボード及び無線マウス等を含むことができる。前記無線ユーザ入力部１２０ａはブルートゥース、赤外線通信のような近距離通信によって前記映像処理装置１００ｇと通信可能に設けられることができる。
【０２０９】
前記無線通信部１８３は無線でインターネット網に接続するためのものとして、ＷＩ−ＦＩ、ワイブロ及びＬＴＥ（Ｌｏｎｇ  Ｔｅｒｍ  Ｅｖｏｌｕｔｉｏｎ）の中で少なくともいずれか一つの無線通信技術による無線通信モジュールを含むことができる。
【０２１０】
前記カメラ部１８５は映像撮影のためのものとしてイメージセンサー（図示せず）及び光学レンズ（図示せず）を含むことができる。
【０２１１】
前記制御経路転換スイッチ１８７は前記アップグレード装置２００ｂの接続可否に従って前記無線ユーザ入力部１２０ａ、前記無線通信部１８３及び前記カメラ部１８５の中で少なくともいずれか一つに対する制御主体を前記第１制御部１４０又は前記アップグレード装置２００で選択する。
【０２１２】
前記第１制御部１４０は、前記アップグレード装置２２０ｂが前記アップグレード装置接続部１６０ｂに接続されない場合に前記無線ユーザ入力部１２０ａ、前記無線通信部１８３及び前記カメラ部１８５を制御する。
【０２１３】
反面、前記アップグレード装置２２０ｂが前記アップグレード装置接続部１６０ｂに接続された場合、前記第１制御部１４０は、前記無線ユーザ入力部１２０ａ、前記無線通信部１８３及び前記カメラ部１８５の中で少なくともいずれか一つに対する制御を中断することができる。前記第１制御部１４０の代わりに前記アップグレード装置２２０ｂの前記第２制御部２３０が前記制御経路転換スイッチ１８７を通じて前記無線ユーザ入力部１２０ａ、前記無線通信部１８３及び前記カメラ部１８５の中で少なくともいずれか一つを直接制御することもできる。
【０２１４】
前記無線ユーザ入力部１２０ａ、前記無線通信部１８３及び前記カメラ部１８５を通じて受信されるユーザ入力、インタネットデータ及び撮影映像信号と共に迅速に処理されたり制御される必要がある内部構成要素の場合、前記第１制御部１４０を経由して、前記第２制御部２３０と通信せず、前記第２制御部２３０に直接に連結する必要があることもできる。この場合、前記アップグレード装置２００ｂが前記映像処理装置１００ｇに接続された場合、前記制御経路転換スイッチ１８７を制御して前記第２制御部２３０と前記無線ユーザ入力部１２０ａ、前記無線通信部１８３及び前記カメラ部１８５の中で少なくともいずれか一つが直接に連結される制御経路を形成することができる。
【０２１５】
一方、前記アップグレード装置２００ｂが接続されない場合には、前記無線ユーザ入力部１２０ａ、前記無線通信部１８３及び前記カメラ部１８５は前記第１制御部１４０により制御されるように制御経路が形成される。
【０２１６】
前記制御経路転換スイッチ１８７は前記第１制御部１４０及び前記アップグレード装置２００ｂの前記第２制御部２３０の中で少なくともいずれか一つによって制御されることができる。前記第１制御部１４０及び前記第２制御部２３０が共に前記制御経路転換スイッチ１８７を制御する場合、前記第１制御部１４０及び前記第２制御部２３０の各制御命令に対して優先権を付与することによって具現されることができる。たとえば、前記第１制御部１４０が主制御権を有し前記第２制御部２３０が補助制御権を有するように設けられたりその反対になるように設けられることもできる。
【０２１７】
以下、本発明の他の実施形態による映像処理装置（ディスプレイ装置）、アップグレード装置、ディスプレイシステム及びその制御方法に対して説明する。本実施形態において、図１乃至図１８を参照して説明した映像処理装置１００乃至１００ｇ、アップグレード装置２００乃至２００ｇ及びディスプレイシステム１乃至１ｇと同一乃至類似の構成に対しては説明を省略する。図１９は本発明の実施形態によるディスプレイシステム２２１のブロック図である。
【０２１８】
図１９に示すように、本実施形態によるディスプレイシステム２２１は外部の映像供給源（図示せず）から提供される映像信号を既設定された映像処理プロセスにしたがって処理して映像で表示するディスプレイ装置２２１００と、ディスプレイ装置２２１００のハードウェア／ソフトウェアをアップグレードさせるアップグレード装置２２２００と、を含む。
【０２１９】
ディスプレイ装置２２１００は、例えばＴＶで具現されるし、アップグレード装置２２２００と連結されない場合には前記アップグレード装置２２２００が提供するアップグレード機能を除いたディスプレイ装置２２１００に含まれたすべての機能を独自的に行うことができる。例えば、外部映像機器の映像表示機能、マルチメディア
コンテンツの再生機能、ネットワーク機能等を独自的に行うことができる。
【０２２０】
また、ディスプレイ装置２２１００は後述するように、アップグレード装置２２２００が連結された場合にアップグレード装置２２２００と通信しながら、アップグレードされた機能が行われるようにするための連結部２２１３０、保存部２２１５０及び制御部２２１１０を含む。
【０２２１】
ディスプレイ装置２２１００はアップグレード装置２２２００と連結されてアップグレードされた機能を行う。一方、アップグレード装置２２２００はディスプレイ装置２２１００の映像処理部（後述すること）よりアップグレードされた映像処理部を備えることができる。又は、アップグレード装置２２２００はディスプレイ装置２２１００の制御部２２１１０よりアップグレードされた制御部を備えることができる。ディスプレイ装置２２１００はアップグレード装置２２２００を利用してディスプレイ装置２２１００の機能をアップグレード装置２２２００のアップグレードされた機能に変えたり、或いはディスプレイ装置２２１００の機能と、アップグレード装置２２２００の機能を併行して行うことができる。
【０２２２】
ディスプレイ装置２２１００は放送局の送出装備から受信される放送信号／放送情報／放送データに基づいた放送映像を表示することができる。また、ディスプレイ装置２２１００は多様な形式の映像供給源（図示せず）から受信される信号／データに基づいた動画、停止映像、アプリケーション（ａｐｐｌｉｃａｔｉｏｎ）、ＯＳＤ（ｏｎ−ｓｃｒｅｅｎ  ｄｉｓｐｌａｙ）、多様な動作制御のためのＧＵＩ（ｇｒａｐｈｉｃ  ｕｓｅｒ  ｉｎｔｅｒｆａｃｅ）等の映像を表示することができる。
【０２２３】
ディスプレイシステム２２１でアップグレード装置２２２００はディスプレイ装置２２１００と通信可能に連結される。アップグレード装置２２２００は接続されたディスプレイ装置２２１００の既存ハードウェア／ソフトウェア構成をアップグレードし、アップグレードされたディスプレイ装置２２１００のハードウェア／ソフトウェア構成によって映像信号が処理されるようにすることによって、さらに向上された画質の映像が表示されるようにすることができる。
【０２２４】
また、アップグレード装置２２２００はディスプレイ装置２２１００に対して有線又は無線で連結できるし、ディスプレイ装置２２１００とデータ／情報／信号／電源が送受信することができる。また、アップグレード装置２２２００はディスプレイ装置２２１００に対して有線又は無線で連結可能な携帯電話、ＵＳＢ  Ｄｏｎｇｌｅ、セットトップボックス等で具現されることができる。
【０２２５】
ディスプレイ装置２２１００は外部から受信される映像信号を既設定された映像処理プロセスにしたがって自体的に処理して映像で表示することができる。しかし、本実施形態によれば、ディスプレイ装置２２１００及びアップグレード装置２２２００の連結にしたがって前記映像処理プロセスを行うディスプレイシステム２２１のハードウェア／ソフトウェア構成がアップグレードされ、これにしたがって相対的に画質が向上された映像又は新しい機能が付加された映像がユーザに提供されることができる。
【０２２６】
以下、ディスプレイ装置２２１００及びアップグレード装置２２２００の構成に対して図２０及び図２１を参照して説明する。
【０２２７】
図２０に示すように、ディスプレイ装置２２１００は少なくとも一つの映像信号が入／出力される信号入出力部２２１４０と、信号入出力部２２１４０を通じて受信される映像信号を処理する映像処理部２２１２０と、映像処理部２２１２０により処理される映像信号を映像で表示するディスプレイ部２２１６０と、ユーザ入力部２２１７０と、データ／情報が保存される保存部２２１５０と、アップグレード装置２２２００と連結する連結部２２１３０と、ディスプレイ装置２２１００の諸般構成の動作を制御する制御部２２１１０と、を含む。
【０２２８】
信号入出力部２２１４０は受信される映像信号を映像処理部２２１２０に伝達し、受信される信号の規格や映像供給源及びディスプレイ装置２２１００の具現方式に対応して多様な方式を有する。例えば、信号入出力部２２１４０は、ＨＤＭＩ（ｈｉｇｈ  ｄｅｆｉｎｉｔｉｏｎ  ｍｕｌｔｉｍｅｄｉａ  ｉｎｔｅｒｆａｃｅ）、ＵＳＢ、コンポーネント（ｃｏｍｐｏｎｅｎｔ）等の規格による信号／データを受信できるし、これらそれぞれの規格に対応する複数の接続端子（図示せず）を含む。
【０２２９】
映像処理部２２１２０は信号入出力部２２１４０から受信される映像信号に対して既設定された多様な映像処理プロセスを行う。映像処理部２２１２０はこのようなプロセスが行われた映像信号をディスプレイ部２２１３０に出力することによって、ディスプレイ部２２１６０に該当映像信号に基づく映像が表示されることができる。
【０２３０】
また、映像処理部２２１２０が行う映像処理プロセスの種類は限られず、例えば、所定信号を各特性別信号に分配するディマルチプレキシング（ｄｅ−ｍｕｌｔｉｐｌｅｘｉｎｇ）、映像信号の映像フォーマットに対応するデコーディング（ｄｅｃｏｄｉｎｇ）、インターレース（ｉｎｔｅｒｌａｃｅ）方式の映像信号をプログレッシブ（ｐｒｏｇｒｅｓｓｉｖｅ）方式で変換するディインターレーシング（ｄｅ−ｉｎｔｅｒｌａｃｉｎｇ）、映像信号を既設定された解像度で調整するスケーリング（ｓｃａｌｉｎｇ）、映像画質改善のためのノイズ減少（ｎｏｉｓｅ  ｒｅｄｕｃｔｉｏｎ）、ディテール強化（ｄｅｔａｉｌ  ｅｎｈａｎｃｅｍｅｎｔ）、フレームリフレッシュレート（ｆｒａｍｅ  ｒｅｆｒｅｓｈ  ｒａｔｅ）変換等を含むことができる。
【０２３１】
また、映像処理部２２１２０はこのようなプロセスを行うための多様なチップセット（図示せず）、メモリー（図示せず）、電子部品（図示せず）、配線（図示せず）等の回路構成が印刷回路基板（図示せず）上に実装された映像処理ボード（図示せず）で具現される。
【０２３２】
ディスプレイ部２２１６０は映像処理部２２１２０から出力される映像信号に基づいて、映像を表示する。ディスプレイ部２２１６０の具現方式は限られず、液晶（ｌｉｑｕｉｄ  ｃｒｙｓｔａｌ）、プラズマ（ｐｌａｓｍａ）、発光ダイオード（ｌｉｇｈｔ−ｅｍｉｔｔｉｎｇ  ｄｉｏｄｅ）、有機発光ダイオード（ｏｒｇａｎｉｃ  ｌｉｇｈｔ−ｅｍｉｔｔｉｎｇ  ｄｉｏｄｅ）、面伝導電子銃（ｓｕｒｆａｃｅ−ｃｏｎｄｕｃｔｉｏｎ  ｅｌｅｃｔｒｏｎ−ｅｍｉｔｔｅｒ）、炭素ナノチューブ（ｃａｒｂｏｎ  ｎａｎｏ−ｔｕｂｅ）、ナノクリスタル（ｎａｎｏ−ｃｒｙｓｔａｌ）等の多様なディスプレイ方式で具現されることができる。
【０２３３】
また、ディスプレイ部２２１６０はその具現方式にしたがって付加的な構成を追加的に含むことができる。例えば、ディスプレイ部２２１６０が液晶方式である場合、ディスプレイ部２２１６０は液晶ディスプレイパネル（図示せず）と、これに光を供給するバックライトユニット（図示せず）と、パネル（図示せず）を駆動させるパネル駆動基板（図示せず）を含む。
【０２３４】
ユーザ入力部２２１７０はユーザの操作及び入力によって、既設定された多様な制御コマンド又は限定されない情報を制御部２２１１０に伝達する。ユーザ入力部２２１７０はディスプレイ装置２２１００外側に設置されたメニューキー（ｍｅｍｕ−ｋｅｙ）及び入力パネル（ｐａｎｅｌ）やディスプレイ装置２２１００と分離離隔されたリモートコントローラー（ｒｅｍｏｔｅ  ｃｏｎｔｒｏｌｌｅｒ）等で具現されることができる。
【０２３５】
又は、ユーザ入力部２２１７０はディスプレイ部２２１６０と一体型で具現されることができる。即ち、ディスプレイ部２２１６０がタッチスクリーン（ｔｏｕｃｈ−ｓｃｒｅｅｎ）である場合、ユーザはディスプレイ部２２１６０に表示された入力メニュー（図示せず）を通じて既設定されたコマンドを制御部２２１１０に伝達することもできる。
【０２３６】
保存部２２１５０は制御部２２１１０の制御に従って限定されないデータが保存される。保存部２２１５０はフラッシュメモリー（ｆｌａｓｈ−ｍｅｍｏｒｙ）、ハードディスクドライブ（ｈａｒｄ−ｄｉｓｃ  ｄｒｉｖｅ）のような非揮発性メモリーで具現される。保存部２２１５０は制御部２２１１０によってアクセスされ、制御部２２１１０によるデータの読取／記録／修正／削除／更新等が行われる。
【０２３７】
また、保存部２２１５０に保存されるデータは、例えば、ディスプレイ装置２２１００の駆動のための運営体制を始めとして、この運営体制上で実行可能な多様なアプリケーション、映像データ、付加データ等を含む。
【０２３８】
また、保存部２２１５０はアップグレード装置２２２００が連結された場合、アップグレー装置２２２００の動作と対応する制御部２２１１０の制御権に関する情報を保存することができる。
【０２３９】
連結部２２１３０はアップグレード装置２２２００との通信のために、ＨＤＭＩ（ｈｉｇｈ  ｄｅｆｉｎｉｔｉｏｎ  ｍｕｌｔｉｍｅｄｉａ  ｉｎｔｅｒｆａｃｅ）、ＵＳＢ、コンポーネント（ｃｏｍｐｏｎｅｎｔ）等の規格による接続ポートで設けられることもできるし、ＬＶＤＳ（Ｌｏｗ  ｖｏｌｔａｇｅ  ｄｉｆｆｅｒｅｎｔｉａｌ  ｓｉｇｎａｌｉｎｇ）の規格に従って設けられることもできる。
【０２４０】
連結部２２１３０は、アップグレード装置２２２００とデータ、信号、情報及び電源の中で少なくともいずれか一つを互いに通信可能に設けられる限り、前述した方式に限定限られず多様な方式及び形態で設けられることができる。また連結部２２１３０は、アップグレード機能が各々異なる複数のアップグレード装置２２２００と連結可能に複数の端子で設けられることができる。
【０２４１】
制御部２２１１０はディスプレイ装置２２１００の多様な構成に対する制御動作を行う。例えば、制御部２２１１０は映像処理部２２１２０が処理する映像処理プロセスの進行、連結部２２１３０を通じる信号／情報／データの送受信動作、ユーザ入力部２２１７０からのコマンドに対する対応制御動作を行うことによって、ディスプレイ装置２２１００の全体動作を制御する。
【０２４２】
また、制御部２２１１０はアップグレード装置２２２００が連結部２２１３０に連結される場合、アップグレード装置２２２００の動作に対応して制御部２２１００が行う制御範囲を調整するためのマイコン（図示せず）を含むことができる。
【０２４３】
即ち、マイコン（図示せず）は、アップグレー装置２２２００と通信しながら、保存部２２１５０に保存された情報に基づいて、各動作に対して、アップグレード装置２２２００に制御権を付与したり、制御部２２１１０に残すことができる。
【０２４４】
これによって、制御部２２１１０はアップグレード装置２２２００が連結部２２１３０に連結された場合、受信された映像信号に対して、アップグレード装置２２２００により映像処理されるように制御することができる。
【０２４５】
また、制御部２２１１０は受信された映像信号に対して映像処理部２２１２０が第１映像処理を行うように制御し、前記処理された第１映像がアップグレード装置２２２００により第２映像処理が行われるように制御することもできる。また、制御部２２１１０は前記アップグレード装置２２２００により処理された第２映像を受信して映像処理部２２１２０が第３映像処理を行うように制御することもできる。
【０２４６】
また、制御部２２１１０はアップグレード装置２２２００により映像処理された映像信号を受信して、前記受信された映像信号がディスプレイ部２２１６０に表示されるように制御することもできる。また、制御部２２１１０はアップグレード装置２２２００により映像処理された映像信号を受信して、前記受信された映像信号が映像処理部２２１２０により後続の映像処理段階を経てディスプレイ部２２１６０に表示されるように制御することができる。
【０２４７】
また、制御部２２１１０はアップグレード装置２２２００に制御権を付与して、映像処理部２２１２０がアップグレード装置２２２００の制御に従って受信された映像信号を映像処理するように制御することもできる。また、制御部２２１１０はアップグレード装置２２２００が入力され、映像処理した映像信号を受信して、前記受信された映像信号に基づいてディスプレイ部２２１６０に映像が表示されるように制御することもできる。
【０２４８】
このような構成のディスプレイ装置２２１００がアップグレードを必要とする場合は、例えば、ディスプレイ装置２２１００の製造段階で提案されなかった新しいフォーマットの映像信号を受信する場合や、又はディスプレイ装置２２１００自体的に支援する水準以上の解像度を有する映像信号を受信する場合や、又はディスプレイ装置２２１００のシステム負荷をさらに軽減させようとする場合等で多様である。
【０２４９】
このようなディスプレイ装置２２１００のアップグレードはハードウェア及びソフトウェアそれぞれの側面がある。本実施形態によれば、ディスプレイ装置２２１００をアップグレードするように設けられたアップグレード装置２２２００が連結部２２１３０に連結されることによって、ディスプレイ装置２２１００の既存ハードウェア構成及びソフトウェア構成の中で少なくともいずれか一つをアップグレードさせる。
【０２５０】
アップグレード装置２２２００はディスプレイ装置２２１００が有しているハードウェア／ソフトウェアの資源の中で少なくとも一部の資源に対応するハードウェア／ソフトウェア構成を含む。アップグレード装置２２２００が含むこの構成はディスプレイ装置２２１００の前述した少なくとも一部の資源より向上された機能を行うことができるように設けられる。したがって、アップグレード装置２２２００がディスプレイ装置２２１００に連結されることによって、ディスプレイ装置２２１００が単独で具現されることより向上された品質の映像を提供することができる。
【０２５１】
以下、アップグレード装置２２２００の構成に対して説明する。アップグレード装置２２２００はディスプレイ装置２２１００の連結部２２１３０に連結される連結部２２２３０と、映像処理部２２１２０の映像処理プロセスを代えたり映像処理プロセスの中で少なくとも一部に対応するプロセスを処理することができる映像処理部２２２２０と、限定されないデータ／情報が保存される保存部２２２５０と、映像信号の入出力が可能な信号入出力部２２２４０と、アップグレード装置２２２００の諸般動作を制御する制御部２２２１０と、を含む。
【０２５２】
連結部２２２３０は連結部２２１３０に連結されることによってアップグレード装置２２２００及びディスプレイ装置２２１００との間の通信が可能にする。連結部２２２３０は連結部２２１３０と有線又は無線で連結することができる。連結方式は限られず、多様な形態で具現されることができる。
【０２５３】
映像処理部２２２２０はディスプレイ装置２２１００の映像処理部２２１２０を代えて、映像処理を行ったり、全体映像処理プロセスの中で一部を代えて行うことができる。前記映像処理部２２１２０を代えて行う映像処理部２２２２０の映像処理はディスプレイ装置２２１００の映像処理部２２１２０の機能を深化したことや、映像処理部２２１２０が行うことができない機能を追加的に行うことを含み、これはチップセットのようなハードウェアの改善や又はアルゴリズム／実行コード／プログラムのようなソフトウェアの改善によって実現される。
【０２５４】
例えば、映像処理部２２２２０はディスプレイ装置２２１００の映像処理部２２１２０が処理することができる解像度より高い解像度の映像信号の処理を行ったり、映像処理部２２１２０が処理することができないフォーマットの映像信号の処理が可能である。
【０２５５】
保存部２２２５０は限定されないデータが保存される。保存部２２２５０はフラッシュメモリー（ｆｌａｓｈ−ｍｅｍｏｒｙ）、ハードディスクドライブ（ｈａｒｄ−ｄｉｓｃ  ｄｒｉｖｅ）のような非揮発性メモリーで具現される。保存部２２２５０はディスプレイ装置２２１００の制御部２２１１０又は制御部２２２１０によってアクセスされ、これによるデータの読取／記録／修正／削除／更新等が行われる。一方、保存部２２１５０も具現方式にしたがって制御部２２１１０だけでなく制御部２２２１０によってアクセスされることもできる。
【０２５６】
また、保存部２２２５０に保存された運営体制が保存部２２１５０に保存された運営体制よりバージョンアップされた場合、保存部２２１５０の運営体制を保存部２２２５０の運営体制でアップデートさせアップデートされた運営体制を駆動させたり、保存部２２１５０の運営体制の代わりに保存部２２２５０の運営体制を駆動させることもできる。
【０２５７】
また、保存部２２２５０はディスプレイ装置の保存部２２１５０に保存された制御権の付与に関する情報に対応する情報が保存され、これによって、ディスプレイ装置２２１００と通信して、制御部２２１１０と制御部２２２１０との間の制御権の調整又は制御権の獲得が可能である。
【０２５８】
信号入出力部２２２４０は受信される映像信号を映像処理部２２２２０に伝達し、受信される信号の規格や映像供給源及びディスプレイ装置２２１００の具現方式に対応して多様な方式を有する。例えば、信号入出力部２２２４０は、ＨＤＭＩ（ｈｉｇｈ  ｄｅｆｉｎｉｔｉｏｎ  ｍｕｌｔｉｍｅｄｉａ  ｉｎｔｅｒｆａｃｅ）、ＵＳＢ、コンポーネント（ｃｏｍｐｏｎｅｎｔ）等の規格による信号／データを受信できるし、これらそれぞれの規格に対応する複数の接続端子（図示せず）を含む。
【０２５９】
また、信号入出力部２２２４０はディスプレイ装置２２１００の信号入出力部２２１４０により受信できない新しいフォーマットの映像信号に対する入力部を含むことができる。
【０２６０】
制御部２２２１０は全体的な映像処理プロセスを行うためのディスプレイ装置２２１００及びアップグレード装置２２２００の間の接続動作を制御する。
【０２６１】
また、制御部２２２１０はディスプレイ装置２２１００が連結部２２２３０に連結される場合、ディスプレイ装置２２１００の制御部２２１１０と通信を行うためのマイコン（図示せず）を含むことができる。
【０２６２】
制御部２２２１０及び制御部２２１１０はＣＰＵで具現されることができるので、制御部２２２１０が制御部２２１１０より向上された機能を行うことができれば、制御部２２２１０は制御部２２１１０をディセーブルさせ制御部２２１１０を代えて、ディスプレイシステム２２１全体の動作を制御することができる。又は、制御部２２２１０は制御部２２１１０と共にディスプレイシステム２２１全体の動作を制御することもできる。
【０２６３】
また、制御部２２２１０はディスプレイ装置２２１００と通信しながら、保存部２２２５０に保存された情報に基づいて、各動作に対して、制御権が与えられることができる。これによって、制御部２２２１０は映像信号が映像処理部２２２２０により映像処理されるように制御することができる。
【０２６４】
また制御部２２２１０は前記処理された映像信号に対してディスプレイ装置２２１００に送信され、ディスプレイ部２２１６０に表示されるように制御することができる。
【０２６５】
以下、本発明の実施形態によるディスプレイ装置２２１００の制御方法に対して図２２を参照して説明する。
【０２６６】
図２２に示すように、制御部２２１１０はアップグレード装置２２２００がディスプレイ装置２２１００の連結部２２１３０を通じてアップグレード装置２２２００と連結されたかを感知する（Ｓ２２１００）。
【０２６７】
制御部２２１１０はアップグレード装置２２２００がディスプレイ装置２２１００に連結されなかった場合、既設定されたプロセスに従ってディスプレイ装置２２１００の全体動作を制御する。
【０２６８】
制御部２２１１０はアップグレード装置２２２００がディスプレイ装置２２１００に連結された場合、アップグレード装置２２２００に対応するディスプレイ装置２２１００の少なくとも一つのアップグレード機能を決める（Ｓ２２１１０）。
【０２６９】
例えば、映像処理プロセスとして、受信された映像信号、音声信号及び付加データで分類するディマルチプレキシング、ディマルチプレキシングが行われた映像信号を映像フォーマットにデコーディング及びデコーディングされた映像信号を所定の解像度でスケーリングする段階の中で、デコーディング段階を決めることができる。
【０２７０】
制御部２２１１０はアップグレード装置２２２００を利用してアップグレード機能が行われるように制御する（Ｓ２２１２０）。
【０２７１】
例えば、前記決定されたデコーディング処理段階がアップグレード装置２２２００の映像処理部２２２２０を通じて行われるように制御することができる。
【０２７２】
また、制御部２２１１０はアップグレード装置２２２００により映像処理された映像信号を受信して、前記受信された映像信号がディスプレイ部２２１６０に表示されるように制御することもできる。
【０２７３】
また、制御部２２１１０は映像処理過程に関するすべての機能を決めて、アップグレード装置２２２００に制御権を付与して、受信された映像信号がアップグレード装置２２２００により全体的に映像処理されるように制御することもできる。
【０２７４】
以下、本発明の実施形態によるアップグレード装置２２２００の制御方法に対して図２３を参照して説明する。
【０２７５】
図２３に示すように、制御部２２２１０はディスプレイ装置２２１００が連結部２２２３０を通じてアップグレード装置２２２００と連結されたかを感知する（Ｓ２２２００）。制御部２２２１０はディスプレイ装置２２１００が連結された場合、ディスプレイ装置２２１００に提供可能な少なくとも一つのアップグレード機能をディスプレイ装置２２１００に通知する（Ｓ２２２１０）。
【０２７６】
制御部２２２１０は前記少なくとも一つのアップグレード機能が行われるように制御する（Ｓ２２２２０）。ここで、制御部２２２１０はアップグレード機能を行うためにディスプレイ装置２２１００の制御部２２１１０から制御権が与えられることができる。
【０２７７】
例えば、制御部２２２１０は受信された映像信号が映像処理部２２２２０を通じて一部又は全部映像処理されるように制御することができる。
【０２７８】
また、映像処理部２２２２０を通じて処理された映像をディスプレイ装置に送信して、前記送信された映像信号に基づいてディスプレイ部１０６に映像が表示されるように制御することができる。
【０２７９】
以下、本発明による実施形態として、ディスプレイ装置２２１００とアップグレード装置２２２００が連結された場合、制御部２２１１０及び制御部２２２１０の制御動作に対して図２４を参照して説明する。
【０２８０】
図２４に示す（ａ）は、アップグレード装置２２２００の制御部２２２１０がディスプレイ装置２２１００から制御権が与えられて、全般的な制御を行う場合を示すことである。
【０２８１】
例えば、ディスプレイ装置２２１００とアップグレード装置２２２００が連結された場合、受信されるすべての映像信号に対して、アップグレード装置２２２００の映像処理部２２２２０を通じて映像処理されるように制御部２２２１０に制御権が付与され、ディスプレイ装置２２１００の制御部２２１１０及び／又は映像処理部２２１２０をディセーブル（ｄｉｓａｂｌｅ）することができる。
【０２８２】
図２４に示す（ｂ）は、ディスプレイ装置２２１００の制御部２２１１０とアップグレード装置２２２００の制御部２２２１０が各々並行して制御を行う場合を示すことである。
【０２８３】
例えば、受信される映像信号に対して、制御部２２１１０は映像処理部２２１２０によって第１映像処理を行うように制御することができるし、アップグレード装置２２２００の制御部２２２１０は前記第１映像処理された映像信号を受信して映像処理部２２２２０によって第２映像処理が行われるように制御することができる。
【０２８４】
図２４に示す（ｃ）は、ディスプレイ装置２２１００の制御部２２１１０が主（ｍａｉｎ）制御を行い、アップグレード装置２２２００の制御部２２２１０が副（ｓｕｂ）制御を行う場合を示すことである。
【０２８５】
例えば、ディスプレイ装置２２１００の制御部２２１１０は受信されたビデオ映像信号が映像処理部２２１２０によって映像処理されてディスプレイ部２２１６０に表示されるように制御することができるし、アップグレード装置２２２００の制御部２２２１０はディスプレイ装置２２１００に表示されるビデオ映像に重複的に表示されるＧＵＩのようなグラフィック映像を処理するように映像処理部２２２２０を制御することができる。
【０２８６】
又は、アップグレード装置２２２００の制御部２２２１０がディスプレイ装置２２１００の制御部２２１１０の命令に従属して制御を行うことができる。
【０２８７】
図２４に示す（ｄ）は、アップグレード装置２２２００の制御部２２２１０が主（ｍａｉｎ）制御を行い、ディスプレイ装置２２１００の制御部２２１１０が副（ｓｕｂ）制御を行うこととして、例えば前記（ｃ）の場合と反対の場合も可能である。
【０２８８】
以下、本発明の他の実施形態による映像処理装置（ディスプレイ装置）、アップグレード装置及びディスプレイシステムに対して説明する。本実施形態において、図１乃至図２４を参照して説明した映像処理装置１００乃至１００ｇ、ディスプレイ装置２２１００、アップグレード装置２００乃至２００ｇ、２２２００及びディスプレイシステム１乃至１ｇ、２２１と同じ乃至類似の構成に対しは説明を省略する。
【０２８９】
図２５は本発明の実施形態によるディスプレイシステム３３１のブロック図である。図２５に示すように、本実施形態によるディスプレイシステム３３１は外部の映像供給源（図示せず）から提供される映像信号を既設定された映像処理プロセスにしたがって処理して映像で表示するディスプレイ装置３３１００と、ディスプレイ装置３３１００のハードウェア／ソフトウェアをアップグレードさせるアップグレード装置３３２００と、を含む。
【０２９０】
ディスプレイ装置３３１００は、例えばＴＶで具現されることができるし、外部映像機器の映像表示機能、マルチメディア
コンテンツの再生機能、ネットワーク機能等を行うことができる。ディスプレイ装置３３１００は、アップグレード装置３３２００と連結されて、アップグレードされた機能を行う。一方、アップグレード装置３３２００はディスプレイ装置３３１００の映像処理部よりアップグレードされた映像処理部を備えることができる。又は、アップグレード装置３３２００はディスプレイ装置３３１００の制御部よりアップグレードされた制御部を備えることができる。ディスプレイ装置３３１００はアップグレード装置３３２００を利用してディスプレイ装置３３１００の機能をアップグレード装置３３２００のアップグレードされた機能に変えたり、或いはディスプレイ装置３３１００の機能とアップグレード装置３３２００の機能を併行して行うことができる。
【０２９１】
ディスプレイ装置３３１００は放送局の送出装備から受信される放送信号／放送情報／放送データに基づいた放送映像を表示することができる。また、ディスプレイ装置３３１００は多様な形式の映像供給源（図示せず）から受信される信号／データに基づいた動画、停止映像、アプリケーション（ａｐｐｌｉｃａｔｉｏｎ）、ＯＳＤ（ｏｎ−ｓｃｒｅｅｎ  ｄｉｓｐｌａｙ）、多様な動作制御のためのＧＵＩ（ｇｒａｐｈｉｃ  ｕｓｅｒ  ｉｎｔｅｒｆａｃｅ）等の映像を表示することができる。
【０２９２】
ディスプレイシステム３３１でアップグレード装置３３２００はディスプレイ装置３３１００と通信可能に連結される。アップグレード装置３３２００は接続されたディスプレイ装置３３１００の既存ハードウェア／ソフトウェア構成をアップグレードし、アップグレードされたディスプレイ装置３３１００のハードウェア／ソフトウェア構成によって映像信号が処理されるようにすることによって、さらに向上された画質の映像が表示されるようにすることができる。
【０２９３】
また、アップグレード装置３３２００はディスプレイ装置３３１００に対して有線又は無線で連結されることができるし、ディスプレイ装置３３１００とデータ／情報／信号／電源が送受信することができる。
【０２９４】
ディスプレイ装置３３１００は外部から受信される映像信号を既設定された映像処理プロセスにしたがって自体的に処理して、映像で表示することができる。しかし、本実施形態によれば、ディスプレイ装置３３１００及びアップグレード装置３３２００の連結にしたがって前記映像処理プロセスを行うディスプレイシステム３３１のハードウェア／ソフトウェア構成がアップグレードされ、これにしたがって相対的に画質が向上された映像又は新しい機能が付加された映像がユーザに提供されることができる。
【０２９５】
以下、ディスプレイ装置３３１００及びアップグレード装置３３２００の構成に対して図２６及び図２７を参照して説明する。
【０２９６】
図２６に示すように、ディスプレイ装置３３１００はファームウェアが各々設けられた少なくとも一つの付属モジュール３３１３０と、少なくとも一つの付属モジュール３３１３０に各々対応する少なくとも一つのアップグレードファームウェアが保存されたアップグレード装置３３２００が接続される接続部３３１２０と、ディスプレイ装置３３１００の諸般構成の動作を制御する制御部３３１１０と、を含む。
【０２９７】
また、ディスプレイ装置３３１００は、少なくとも一つの映像信号が入／出力される信号入出力部（図示せず）と、信号入出力部を通じて受信される映像信号を処理する映像処理部（図示せず）と、映像処理部によって処理される映像信号を映像で表示するディスプレイ部（図示せず）と、ユーザ入力部（図示せず）と、データ／情報が保存される保存部（図示せず）と、を含む。
【０２９８】
信号入出力部は受信される映像信号を映像処理部に伝達し、受信される信号の規格や映像供給源及びディスプレイ装置３３１００の具現方式に対応して多様な方式を有する。例えば、信号入出力部（図示せず）は、ＨＤＭＩ（ｈｉｇｈ  ｄｅｆｉｎｉｔｉｏｎ  ｍｕｌｔｉｍｅｄｉａ  ｉｎｔｅｒｆａｃｅ）、ＵＳＢ、コンポーネント（ｃｏｍｐｏｎｅｎｔ）等の規格による信号／データを受信できるし、これらそれぞれの規格に対応する複数の接続端子（図示せず）を含む。
【０２９９】
映像処理部は信号入出力部から受信される映像信号に対して既設定された多様な映像処理プロセスを行う。映像処理部はこのようなプロセスが行われた映像信号をディスプレイ部に出力することによって、ディスプレイ部に該当映像信号に基づく映像が表示されることができる。
【０３００】
また、映像処理部が行う映像処理プロセスの種類は限られず、例えば、所定信号を各特性別信号に分配するディマルチプレキシング（ｄｅ−ｍｕｌｔｉｐｌｅｘｉｎｇ）、映像信号の映像フォーマットに対応するデコーディング（ｄｅｃｏｄｉｎｇ）、インターレース（ｉｎｔｅｒｌａｃｅ）方式の映像信号をプログレッシブ（ｐｒｏｇｒｅｓｓｉｖｅ）方式で変換するディインターレーシング（ｄｅ−ｉｎｔｅｒｌａｃｉｎｇ）、映像信号を既設定された解像度で調整するスケーリング（ｓｃａｌｉｎｇ）、映像画質改善のためのノイズ減少（ｎｏｉｓｅ  ｒｅｄｕｃｔｉｏｎ）、ディテール強化（ｄｅｔａｉｌ  ｅｎｈａｎｃｅｍｅｎｔ）、フレームリフレッシュレート（ｆｒａｍｅ  ｒｅｆｒｅｓｈ  ｒａｔｅ）変換等を含むことができる。
【０３０１】
また、映像処理部はこのようなプロセスを行うための多様なチップセット（図示せず）、メモリー（図示せず）、電子部品（図示せず）、配線（図示せず）等の回路構成が印刷回路基板（図示せず）上に実装された映像処理ボード（図示せず）で具現される。
【０３０２】
ディスプレイ部は映像処理部から出力される映像信号に基づいて映像を表示する。ディスプレイ部の具現方式は限られず、液晶（ｌｉｑｕｉｄ  ｃｒｙｓｔａｌ）、プラズマ（ｐｌａｓｍａ）、発光ダイオード（ｌｉｇｈｔ−ｅｍｉｔｔｉｎｇ  ｄｉｏｄｅ）、有機発光ダイオード（ｏｒｇａｎｉｃ  ｌｉｇｈｔ−ｅｍｉｔｔｉｎｇ  ｄｉｏｄｅ）、面伝導電子銃（ｓｕｒｆａｃｅ−ｃｏｎｄｕｃｔｉｏｎ  ｅｌｅｃｔｒｏｎ−ｅｍｉｔｔｅｒ）、炭素ナノチューブ（ｃａｒｂｏｎ  ｎａｎｏ−ｔｕｂｅ）、ナノクリスタル（ｎａｎｏ−ｃｒｙｓｔａｌ）等の多様なディスプレイ方式で具現されることができる。
【０３０３】
ユーザ入力部はユーザの操作及び入力によって、既設定された多様な制御コマンド又は限定されない情報を制御部３３１１０に伝達する。ユーザ入力部（図示せず）はディスプレイ装置３３１００の外側に設けられたメニューキー（ｍｅｍｕ−ｋｅｙ）及び入力パネル（ｐａｎｅｌ）やディスプレイ装置３３１００と分離離隔されたリモートコントローラー（ｒｅｍｏｔｅ  ｃｏｎｔｒｏｌｌｅｒ）等で具現されることができる。
【０３０４】
又は、ユーザ入力部（図示せず）はディスプレイ部と一体型で具現されることができる。即ち、ディスプレイ部がタッチスクリーン（ｔｏｕｃｈ−ｓｃｒｅｅｎ）である場合、ユーザはディスプレイ部に表示された入力メニューを通じて既設定されたコマンドを制御部３３１１０に伝達することもできる。
【０３０５】
保存部（図示せず）は制御部３３１１０の制御に従って限定されないデータが保存される。保存部（図示せず）はフラッシュメモリー（ｆｌａｓｈ−ｍｅｍｏｒｙ）、ハードディスクドライブ（ｈａｒｄ−ｄｉｓｃ  ｄｒｉｖｅ）のような非揮発性メモリーで具現される。保存部（図示せず）は制御部３３１１０によってアクセスされ、制御部３３１１０によるデータの読取／記録／修正／削除／更新等が行われる。
【０３０６】
また、保存部（図示せず）に保存されるデータは、例えば、ディスプレイ装置３３１００の駆動のための運営体制を始めとして、この運営体制上で実行可能な多様なアプリケーション、映像データ、付加データ等を含む。
【０３０７】
また、保存部（図示せず）はアップグレード装置３３２００が連結された場合、アップグレー装置３３２００の動作と対応する制御部３３１１０の制御権に関する情報を保存することができる。
【０３０８】
接続部３３１２０はアップグレード装置３３２００との通信のために、ＨＤＭＩ（ｈｉｇｈ  ｄｅｆｉｎｉｔｉｏｎ  ｍｕｌｔｉｍｅｄｉａ  ｉｎｔｅｒｆａｃｅ）、ＵＳＢ、コンポーネント（ｃｏｍｐｏｎｅｎｔ）等の規格による接続ポートで設けられることもできるし、ＬＶＤＳ（Ｌｏｗ  ｖｏｌｔａｇｅ  ｄｉｆｆｅｒｅｎｔｉａｌ  ｓｉｇｎａｌｉｎｇ）の規格に従って設けられることもできる。
【０３０９】
接続部３３１２０は、アップグレード装置３３２００とデータ、信号、情報及び電源の中でいずれか一つが互いに通信可能に設けられれば、前述した方式に限られず多様な方式及び形態で設けられることができる。
【０３１０】
少なくとも一つの付属モジュール３３１３０は各々非揮発性メモリー（図示せず）を備え、自体動作のための運営体制が保存されたファームウェアを備えている。例えば、付属モジュールi３３１３１は、付属モジュールiの動作のためのファームウェアiを備え、付属モジュールii３３１３５は付属モジュールiiの動作のためのファームウェアiiを備える。このような付属モジュールとしては、例えば、ディスプレイ装置３３１００外側に設けられたパネル操作部、ＷＩＦＩ部、ＭｏＩＰ（Ｍｕｌｔｉｍｅｄｉａ  ｏｖｅｒ  Ｉｎｔｅｒｎｅｔ  Ｐｒｏｔｏｃｏｌ）又はディスプレイ装置と無線で連結されるりモート
コントローラー（ｒｅｍｏｔｅ  ｃｏｎｔｒｏｌｌｅｒ）等が含まれる。
【０３１１】
制御部３３１１０はディスプレイ装置３３１００の多様な構成に対する制御動作を行う。例えば、制御部３３１１０は映像処理部が処理する映像処理プロセスの進行、接続部３３１２０を通じる信号／情報／データの送受信動作、ユーザ入力部からのコマンドに対する対応制御動作を行うことによって、ディスプレイ装置３３１００の全体動作を制御する。
【０３１２】
また制御部３３１１０は、少なくとも一つの付属モジュール３３１３０に各々対応する少なくとも一つのアップグレードファームウェアが保存されたアップグレード装置３３２００が接続部３３１２０に接続されれば、少なくとも一つの付属モジュール３３１３０が前記対応する少なくとも一つのアップグレードファームウェアでアップグレードされるように制御を行う。
【０３１３】
また制御部３３１１０は、アップグレード装置３３２００に制御権を付与して、少なくとも一つの付属モジュール３３１３０がアップグレード装置３３２００の制御によって、対応する少なくとも一つのアップグレードファームウェアでアップグレードされるようにアップグレード装置３３２００と通信を行うことができる。
【０３１４】
また制御部３３１１０は、少なくとも一つの付属モジュール３３１３０に各々設けられたファームウェアがアップグレード装置３３２００の保存部にバックアップされるように制御を行う。
【０３１５】
また制御部３３１１０は、ユーザ入力部（図示せず）を通じて入力されたユーザの選択に従って少なくとも一つの付属モジュール３３１３０が各々アップグレードされるように制御することができる。
【０３１６】
本発明によるディスプレイ装置３３１００は、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）を含むことができるし、制御部３３１１０はアップグレード装置に含まれたアップグレードＥＤＩＤ情報に基づいてディスプレイ装置３３１００のＥＤＩＤがアップグレードされるように制御することができる。
【０３１７】
アップグレード装置３３２００はディスプレイ装置３３１００が有しているハードウェア／ソフトウェア資源の中で少なくとも一部の資源に対応するハードウェア／ソフトウェア構成を含む。アップグレード装置３３２００が含むこれら構成はディスプレイ装置３３１００の前述した少なくとも一部の資源より向上された機能を行うことができるように設けられる。したがって、アップグレード装置３３２００がディスプレイ装置３３１００に連結されることによって、ディスプレイ装置３３１００が単独で具現されることより向上された品質の映像を提供することができる。
【０３１８】
以下、アップグレード装置３３２００の構成に対して説明する。アップグレード装置３３２００はディスプレイ装置３３１００の接続部３３１２０に接続される接続部３３２２０と、保存部３３２３０と、アップグレード装置３３２００の諸般動作を制御する制御部３３２１０と、を含む。
【０３１９】
接続部３３２２０はディスプレイ装置３３１００の接続部３３１２０に連結されることによってアップグレード装置３３２００及びディスプレイ装置３３１００との間の通信が可能にする。接続部３３２２０は接続部３３１２０と有線又は無線で連結されることができる。連結方式は、限られず多様な形態で具現されることができる。
【０３２０】
例えば、接続部３３２２０はディスプレイ装置３３１００との通信のために、ＨＤＭＩ（ｈｉｇｈ  ｄｅｆｉｎｉｔｉｏｎ  ｍｕｌｔｉｍｅｄｉａ  ｉｎｔｅｒｆａｃｅ）、ＵＳＢ、コンポーネント（ｃｏｍｐｏｎｅｎｔ）等の規格による接続ポートで設けられることもできるし、ＬＶＤＳ（Ｌｏｗ  ｖｏｌｔａｇｅ  ｄｉｆｆｅｒｅｎｔｉａｌ  ｓｉｇｎａｌｉｎｇ）の規格に従って設けられることもできる。
【０３２１】
接続部３３２２０は、ディスプレイ装置３３１００とデータ、信号、情報及び電源の中でいずれか一つを互いに通信可能に設けられる限り、前述した方式に限られず多様な方式及び形態で設けられることができる。
【０３２２】
保存部３３２３０はフラッシュメモリー（ｆｌａｓｈ−ｍｅｍｏｒｙ）、ハードディスクドライブ（ｈａｒｄ−ｄｉｓｃ  ｄｒｉｖｅ）のような非揮発性メモリーで具現される。保存部３３２３０はディスプレイ装置３３１００の制御部３３１１０又は制御部３３２１０によってアクセスされ、これによるデータの読取／記録／修正／削除／更新等が行われる。一方、保存部３３２３０も具現方式にしたがって制御部３３１１０だけでなく制御部３３２１０によってアクセスされることもできる。
【０３２３】
保存部３３２３０はディスプレイ装置３３１００に設けられた少なくとも一つの付属モジュール３３１３０に各々対応する少なくとも一つのアップグレードファームウェアが保存される。例えば、図２６及び図３に示すように、付属モジュールi３３１３１に対応するアップグレードファームウェアi３３２３１、付属モジュールii３３１３５に対応するアップグレードファームウェアii３３２３５等のように少なくとも一つの付属モジュール３３１３０のファームウェアに各々対応するアップグレードファームウェアを保存することができる。
【０３２４】
また保存部３３２３０は付属モジュール３３１３０の中で少なくとも一つに対応し、各々バージョンが異なる複数のアップグレードファームウェアを保存することができる。例えば、図２７に示すように、付属モジュールiiに対応するアップグレードファームウェアとして、バージョンが異なるアップグレードファームウェアii３３２３５及びアップグレードファームウェアii−i３３２３５ａを保存することができる。したがって、付属モジュールに対応する複数のアップグレードファームウェアの中で適合するアップグレードファームウェアで交替使用することができるマルチ
バージョンのアップグレード機能が可能である。
【０３２５】
また保存部３３２３０は少なくとも一つの付属モジュール３３１３０がアップグレードファームウェアで各々アップグレードされる前のファームウェアをバックアップすることができる。
【０３２６】
制御部３３２１０はアップグレード機能を行うためのディスプレイ装置３３１００及びアップグレード装置３３２００の間の接続動作を制御する。制御部３３２１０は少なくとも一つの付属モジュール３３１３０を含むディスプレイ装置３３１００に接続されれば、ディスプレイ装置３３１００から制御権が与えられて、保存部３３２３０に保存された少なくとも一つのアップグレードファームウェアによって少なくとも一つの付属モジュールがアップグレードされるように制御を行う。
【０３２７】
また、制御部３３２１０は少なくとも一つの付属モジュール３３１３０がディスプレイ装置３３１００によって保存部３３２３０に保存された少なくとも一つのアップグレードファームウェアで各々アップグレードされるようにディスプレイ装置と通信を行うことができる。
【０３２８】
また制御部３３２１０は、少なくとも一つの付属モジュール３３１３０に各々設けられたファームウェアが保存部３３２３０にバックアップされるように制御を行う。
【０３２９】
以下、本発明の実施形態によるディスプレイ装置３３１００の制御方法に対して図２８を参照して説明する。
【０３３０】
図２８に示すように、ディスプレイ装置の接続部３３１２０を通じて少なくとも一つのアップグレードファームウェアが保存されたアップグレード装置が接続される（Ｓ３３１００）。次に、少なくとも一つの付属モジュール３３１３０が各々対応する前記少なくとも一つのアップグレードファームウェアでアップグレードされるように制御を行う（Ｓ３３１１０）。ここで、少なくとも一つの付属モジュール３３１３０に既に設けられたそれぞれのファームウェアがアップグレー装置にバックアップされるように制御を行う。また、少なくとも一つの付属モジュール３３１３０に対してアップグレードファームウェアでアップグレードの随行は、ユーザ入力部（図示せず）を通じて入力されたユーザの選択に従ってアップグレードされるように制御を行うことができる。
【０３３１】
以下、本発明の実施形態によるアップグレード装置３３２００の制御方法に対して図２９を参照して説明する。
【０３３２】
図２９に示すように、保存部３３２３０に保存された少なくとも一つのアップグレードファームウェアに各々対応するファームウェアが設けられた少なくとも一つの付属モジュール３３１３０を含むディスプレイ装置が接続される（Ｓ３３２００）。次に、制御部３３２１０はディスプレイ装置３３１００から制御権が与えられて、少なくとも一つの付属モジュール３３１３０が、保存部３３２３０に保存された少なくとも一つのアップグレードファームウェアでアップグレードされるように制御を行う（Ｓ３３２１０）。ここで、制御部３３２１０は少なくとも一つの付属モジュール３３１３０に既に設けられたそれぞれのファームウェアが保存部３３２３０にバックアップされるように制御を行う。また制御部３３２１０は少なくとも一つのアップグレードファームウェアでアップグレードが行われるように制御することによって、ユーザの選択に従ってアップグレードファームウェアでアップグレードが行われるように制御することができる。
【０３３３】
以下、本発明の他の実施形態による映像処理装置（ディスプレイ装置）、アップグレード装置及びディスプレイシステムに対して説明する。本実施形態において、図１乃至図２９を参照して説明した映像処理装置１００乃至１００ｇ、ディスプレイ装置２２１００、３３１００、アップグレード装置２００乃至２００ｇ、２２２００、３３２００及びディスプレイシステム１乃至１ｇ、２２１、３３１と同一乃至類似の構成に対しは説明を省略する。
【０３３４】
図３０は本発明によるディスプレイ装置４４１００の制御ブロック図である。図面に示すように、ディスプレイ装置４４１００は、ディスプレイ部４４１１０、映像受信部４４１２０、第１映像処理部４４１３０、接続部４４１４０、制御部４４１５０を含む。ディスプレイ装置４４１００はＴＶで具現されることができるし、ＴＶ以外にも映像を表示することができる多様な種類の具現例示が可能である。
【０３３５】
ディスプレイ部４４１１０は映像を表示する。ディスプレイ部４４１１０は、ＰＤＰ（Ｐｌａｓｍａ  Ｄｉｓｐｌａｙ  Ｐａｎｅｌ）、ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅｓ）、フレキシブル  ディスプレイ（ｆｌｅｘｉｂｌｅ  ｄｉｓｐｌａｙ）等で具現されることができる。
【０３３６】
映像受信部４４１２０は外部の映像供給源（図示せず）からアナログまたはデジタル映像信号を受信する。映像受信部４４１２０は、映像信号の種類又は規格及びディスプレイ装置４４１００の具現方式にしたがって多様な形態で具現することができる。
【０３３７】
第１映像処理部４４１３０は映像受信部４４１２０で受信した映像信号に対して既設定された多様な映像処理プロセスを行う。行う複数の映像処理プロセスの例として、アナログ映像信号のデジタル変換、映像信号の周波数を基底帯域で遷移させるディモジュルレーティング（ｄｅｍｏｄｕｌａｔｉｎｇ）映像及び音声フォーマットにそれぞれ対応するデコーディング（ｄｅｃｏｄｉｎｇ）、インターレース（ｉｎｔｅｒｌａｃｅ）方式の映像信号をプログレッシブ（ｐｒｏｇｒｅｓｓｉｖｅ）方式で変換するディインターレーシング（ｄｅ−ｉｎｔｅｒｌａｃｉｎｇ）、映像信号を既設定された解像度で調整するスケーリング（ｓｃａｌｉｎｇ）等があり、表示される映像のカラーを調整するための各種のカラープロセシング（ｃｏｌｏｒ  ｐｒｏｃｅｓｓｉｎｇ）が含まれる。以下では、色々なカラープロセシングを映像処理プロセスの例として説明するが、その他に先に説明した多様な映像処理プロセスも含まれることができる。
【０３３８】
第１映像処理部４４１３０は先に説明した複数の映像処理プロセス各々を処理する複数の第１ブロックを含むことができる。第１映像処理部４４１３０が複数の第１ブロックで具現される例に関しては図３１を通じて説明する。
【０３３９】
接続部４４１４０はディスプレイ装置４４１００をアップグレードするように設けられたアップグレード装置４４２００が接続される。接続部４４１４０は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）、ＵＳＢ（Ｕｎｉｖｅｒｓａｌ  Ｓｅｒｉａｌ  Ｂｕｓ）、コンポーネント（Ｃｏｍｐｏｎｅｎｔ）等の規格によるコネクターで具現されることができるし、接続部４４１４０を通じてアップグレード装置４４２００とディスプレイ装置４４１００は各種の信号を送受信することができるし、アップグレード装置４４２００側に電源を供給することもできる。接続部４４１４０は接地端と連結されており、後述する制御部４４１５０はアップグレード装置４４２００が接続部４４１４０に接続されれば接地による電気的な信号を感知することによってアップグレード装置４４２００の接続を確認することができる。
【０３４０】
接続されるアップグレード装置４４２００は複数の映像処理プロセスの中で少なくとも一部を行う第２映像処理部４４２１０を含む。第２映像処理部４４２１０は複数の第１ブロック各々に対応し、複数の映像処理プロセス各々を処理できる複数の第２ブロックを含む。それぞれの第２ブロックは第１映像処理部４４１３０の第１ブロックで行う映像処理プロセスと対応される機能を行うことができる。
【０３４１】
アップグレード装置４４２００はディスプレイ装置４４１００の発売当時より向上された映像処理プロセスを行うことができるそれぞれの第２ブロックを含み、映像処理プロセスの中で一部がアップグレード装置４４２００によって行われることによって、さらに向上された映像を提供することができる。
【０３４２】
制御部４４１５０は本発明によるディスプレイ装置４４１００の全般的な動作制御を行うことで、ＣＰＵ（Ｃｅｎｔｒａｌ  Ｐｒｏｃｅｓｓｉｎｇ  Ｕｎｉｔ）、ＭＣＵ（Ｍｉｃｒｏ  Ｃｏｎｔｒｏｌ  Ｕｎｉｔ）等のようなマイクロプロセッサーで構成されることができる。
【０３４３】
制御部４４１５０は接続部４４１４０を通じてアップグレード装置４４２００が接続されるかを確認し、接続されたと確認されればアップグレード装置４４２００の第２映像処理部４４２１０が行うことができる映像処理プロセスを確認する。前述のように、第１映像処理部４４１３０は複数の第１ブロックを含んでおり、第２映像処理部４４２１０にそれぞれの第１ブロックに対応する第２ブロックが含まれるかを確認することによって、特定の第１ブロックが行う映像処理プロセスをアップグレード装置４４２００の第２映像処理部４４２１０が行うことができるかを確認することができる。
【０３４４】
制御部４４１５０は第２映像処理部４４２１０に所定の第１ブロックと対応される第２ブロックが存在すると確認されれば、特定の映像処理プロセスが第１ブロックと第２ブロックの中でいずれか一つによって行われるように制御する。
【０３４５】
ディスプレイ装置４４１００は、複数の第１ブロック及び第１ブロックに各々対応する第２ブロックと各々連結されて、第１ブロックと第２ブロックの中でいずれか一つに信号が送信されるようにスイッチングする複数のスイッチング部４４１６０を含むことができる。スイッチング部４４１６０はディマルチプレキサー（ｄｅｍｕｌｔｉｐｌｅｘｅｒ、ｄｅＭＵＸ）で具現されることができるし、制御部４４１５０の制御に従って第１ブロックが第２ブロックの中でいずれか一つに選択的に信号が伝達されて、映像処理プロセスを処理するようにスイッチングする。
【０３４６】
アップグレード装置４４２００はディスプレイ装置４４１００の機能をアップグレードするように設けられるが、必ずアップグレード装置４４２００の第２映像処理部４４２１０によって映像処理プロセスが進行される必要はない。アップグレード装置４４２００に既設定されたことによってすべての第２ブロックが使用されることもできるし、ユーザの選択によって、第１ブロック及びこれに対応される第２ブロックの中でいずれか一つが選択されることもできる。
【０３４７】
図３１は第１映像処理部４４１３０と第２映像処理部４４２１０を詳細に示す。図３１にはディスプレイ装置４４１００とアップグレード装置４４２００で行う映像処理プロセスの一部だけを示すことであり、以外に多様な公知の映像処理プロセスの場合にも本発明が適用されるはもちろんである。
【０３４８】
図面に示すように、第１映像処理部４４１３０は複数の第１ブロック４４１３１、４４１３３、４４１３５、４４１３７、即ち、第１鮮明度向上ブロック４４１３１、第１カラー選択ブロック４４１３３、第１明暗比向上ブロック４４１３５、第１ホワイトバランス調整ブロック４４１３７を含むことができる。前記複数の第１ブロック４４１３１、４４１３３、４４１３５、４４１３７は行う映像処理プロセスが類似なことで分類したことで、それぞれの第１ブロック４４１３１、４４１３３、４４１３５、４４１３７は一つ以上の小ブロック（図示せず）を含むことができる。例えば、第１鮮明度向上ブロック４４１３１は、映像の直線や曲線をなめらかにするためのジャギー除去（ｄｅｊａｇｇｉｎｇ）ブロックと、鮮明度向上のために所定の周波数成分を強調してディテールエンハンスメント（ｄｅｔａｉｌ  ｅｎｈａｎｃｅｍｅｎｔ）ブロックを含めるし、第１明暗比向上ブロック４４１３５はコントラストエンハンスメント（ｃｏｎｔｒａｓｔ  ｅｎｈａｎｃｅｍｅｎｔ）ブロック、ホワイトストゥレチ（ｗｈｉｔｅ  ｓｔｒｅｔｃｈ）ブロック及びブラックストゥレチ（ｂｌａｃｋ  ｓｔｒｅｔｃｈ）ブロックを含むことができる。
【０３４９】
第２映像処理部４４２１０は複数の第２ブロック４４２１１、４４２１３、４４２１５、４４２１７、即ち、第２鮮明度向上ブロック４４２１１、第２カラー選択ブロック４４２１３、第２明暗比向上ブロック４４２１５、第２ホワイトバランス調整ブロック４４２１７を含めるし、各々が行う機能は対応される第１ブロックと各々同一であるが、さらにアップグレードされた機能を行うこともできる。また、第１ブロック４４１３１、４４１３３、４４１３５、４４１３７に対応される第２ブロック４４２１１、４４２１３、４４２１５、４４２１７が必ず含まれる必要はなくて、一部だけが含まれることもできる。
【０３５０】
映像受信部４４１２０で受信した映像信号はＡ／Ｄ変換等を経て、１番目のディマルチプレキサー４４１６１に入力される。制御部４４１５０は既設定又はユーザの選択に従って、入力される映像信号を第１鮮明度向上ブロック４４１３１と第２鮮明度向上ブロック４４２１１の中でいずれか一つに出力されるように制御し、出力される信号を受信したブロックは鮮明度向上のための映像処理プロセスを行う。
【０３５１】
鮮明度向上処理を経た映像信号は２番目のディマルチプレキサー４４１６３に出力され、制御部４４１５０の制御によって、第１カラー選択ブロック４４１３３又は第２カラー選択ブロック４４２１３に出力される。
【０３５２】
このような複数の映像処理プロセスを全部経験した映像信号は最終的にディスプレイ部４４１１０に出力される。前述したように、図３１には映像処理プロセスの一部だけを示すことで、図示以外に映像受信部４４１２０から受信された映像信号を最終的にディスプレイ部４４１１０に表示するための一連の映像処理プロセスを経なければならない。
【０３５３】
前述したディスプレイ装置４４１００によれば、映像処理プロセスの中で少なくとも一部をディスプレイ装置４４１００に接続された外部のアップグレード装置４４２００によって行う結果、ディスプレイ装置４４１００のハードウェアを交替しなくてもさらに向上された映像処理プロセスを行うことができる。
【０３５４】
図３２は本発明によるディスプレイ装置４４１００の制御フローチャートである。ディスプレイ装置４４１００はＴＶを始めとして、映像を表示可能な多様な種類の具現例示が可能であり、アップグレード装置４４２００を接続して、相互データ交換が可能である。
【０３５５】
ディスプレイ装置４４１００は外部の映像供給源（図示せず）からアナログ又はデジタル映像信号を受信する（Ｓ４４１１０）。ディスプレイ装置４４１００はアップグレード装置４４２００の接続可否を確認する（Ｓ４４１２０）。アップグレード装置４４２００が接続される接続部４４１４０は接地端と連結されて、アップグレード装置４４２００が接続されれば接地による電気的な信号を感知することによって接続可否を確認することができる。
【０３５６】
ディスプレイ装置４４１００は複数の映像処理プロセス各々を処理する複数の第１ブロックを含み、アップグレード装置４４２００は複数の第１ブロック各々に対応し、複数の映像処理プロセスの中で一部を各々処理する第２ブロックを含むことができる。受信される映像信号は所定の映像処理プロセスによって処理され、それぞれの第２ブロックは第１ブロックで行う映像処理プロセスと対応される機能を行うことができる。
【０３５７】
アップグレード装置４４２００が接続されない場合、すべての映像処理プロセスはディスプレイ装置４４１００によって行われる（Ｓ４４１６０）。アップグレード装置４４２００が接続された場合、ディスプレイ装置４４１００はアップグレード装置４４２００が行うことができる映像処理プロセスを確認する（Ｓ４４１３０）。この時、第１ブロック各々に対応する第２ブロックをアップグレード装置４４２００が含むかを確認することによって、アップグレード装置４４２００が行うことができる映像処理プロセスを確認することができる。
【０３５８】
所定の映像処理プロセスをアップグレード装置４４２００が行うことができる場合、ディスプレイ装置４４１００とアップグレード装置４４２００の中でどの装置でプロセスを行うかを選択する（Ｓ４４１４０）。即ち、第１ブロックとそれに対応する第２ブロックの中でいずれか一つを選択する。この場合、ディスプレイ装置４４１００は複数の第１ブロック及び第１ブロックに各々対応する第２ブロックと各々連結されて、第１ブロックと第２ブロックの中でいずれか一つに信号が送信されるようにスイッチングする複数のスイッチング部を含めるし、これに対しては図３１を通じて前で説明した。
【０３５９】
選択結果に従って、ディスプレイ装置４４１００とアップグレード装置４４２００中でいずれか一つによってそれぞれの映像処理プロセスが行われる（Ｓ４４１５０）。この場合、装置の選択はアップグレード装置４４２００に既に設定されたことによってすべての第２ブロックが使用されることもできるし、ユーザの選択によって第１ブロック及びこれに対応される第２ブロックの中でいずれか一つが選択されることができる。
【０３６０】
前述したディスプレイ装置４４１００の制御方法によれば、映像処理プロセスの中で少なくとも一部をディスプレイ装置４４１００に接続された外部のアップグレード装置４４２００によって行う結果、ディスプレイ装置４４１００のハードウェアを交替しなくてさらに向上された映像処理プロセスを行うことができる。
【０３６１】
以下、本発明の他の実施形態による映像処理装置（ディスプレイ装置）、アップグレード装置及びディスプレイシステムに対して説明する。本実施形態において、図１乃至図３２を参照して説明した映像処理装置１００乃至１００ｇ、ディスプレイ装置２２１００、３３１００、４４１００、アップグレード装置２００乃至２００ｇ、２２２００、３３２００、４４２００及びディスプレイシステム１乃至１ｇ、２２１、３３１と同一乃至類似の構成に対しは説明を省略する。
【０３６２】
図３３は本発明の一実施形態によるディスプレイシステム５５１の構成を示すブロック図である。図３３に示すように、本実施形態によるディスプレイシステム５５１はディスプレイ装置５５１００及び３Ｄ映像処理装置５５２００を含む。ディスプレイ装置５５１００と３Ｄ映像処理装置５５２００は相互通信可能に連結される。
【０３６３】
相互連結されたディスプレイ装置５５１００と３Ｄ映像処理装置５５２００は放送信号のような映像信号及び各種データ、電源等を含む制御信号を送受信する。ディスプレイ装置５５１００は外部の映像供給源（図示せず）から提供される映像信号を既設定された映像処理プロセスにしたがって処理して映像で表示する。ここで、本実施形態のディスプレイ装置５５１００は２Ｄ映像信号を処理して、２Ｄ映像で表示する。
【０３６４】
本実施形態のシステム５５１でディスプレイ装置５５１００は放送局の送出装備から受信される放送信号／放送情報／放送データに基づいた放送映像を表示するＴＶで具現される場合に対して説明する。しかし、本発明の思想がディスプレイ装置５５１００の具現例示に限られず、ディスプレイ装置５５１００はＴＶ以外にも映像を表示することができる多様な種類の具現例示が適用されることができる。
【０３６５】
また、ディスプレイ装置５５１００は表示可能な映像の種類が放送映像に限られず、例えば、ディスプレイ装置５５１００は多様な形式の映像供給源（図示せず）から受信される信号／データに基づいた動画、停止映像、アプリケーション（ａｐｐｌｉｃａｔｉｏｎ）、ＯＳＤ（ｏｎ−ｓｃｒｅｅｎ  ｄｉｓｐｌａｙ）、多様な動作制御のためのＧＵＩ（ｇｒａｐｈｉｃ  ｕｓｅｒ  ｉｎｔｅｒｆａｃｅ）等の映像を表示することができる。
【０３６６】
３Ｄ映像処理装置５５２００はディスプレイ装置５５１００と通信可能に連結される。３Ｄ映像処理装置５５２００は接続されたディスプレイ装置５５１００の既存ハードウェア／ソフトウェア構成を３Ｄにアップグレードし、アップグレードされたディスプレイ装置５５１００のハードウェア／ソフトウェア構成によって映像信号が処理されるようにすることによって、３Ｄ映像が表示されるようにすることができる。
【０３６７】
例えば、３Ｄ映像処理装置５５２００は映像処理回路等のようにＴＶのハードウェアを３Ｄにアップグレードするための装置であることもできるし、ディスプレイ装置５５１００に取り外すこともできる。
【０３６８】
一方、３Ｄ映像処理装置５５２００は本実施形態の場合とは異なるように、無線でディスプレイ装置５５１００に接続されることもできるので、この場合に３Ｄ映像処理装置５５２００は別途の外部電源又はバッテリーから動作電源が供給されることができる。ただし、本実施形態では３Ｄ映像処理装置５５２００がディスプレイ装置５５１００に対して有線で接続される場合に対して説明する。
【０３６９】
ディスプレイ装置５５１００は外部から受信される映像信号を単独で既設定された映像処理プロセスにしたがって処理して映像で表示することができる。
【０３７０】
本実施形態によれば、ディスプレイ装置５５１００に３Ｄ映像処理装置５５２００が接続されて前記の映像処理プロセスを行うディスプレイシステム５５１のハードウェア／ソフトウェア構成がアップグレードされる。このような３Ｄ映像処理装置５５２００はディスプレイ装置５５１００から映像信号を受信して３Ｄで処理し、処理された映像信号をディスプレイ装置５５２００に送信する。ディスプレイ装置５５１００は３Ｄ映像処理装置５５２００から受信された３Ｄ映像信号に対応する映像を３Ｄで表示する。
【０３７１】
一方、本発明の他の実施形態では、３Ｄ映像処理装置５５２００で映像信号を受信して３Ｄで処理し、処理された映像信号をディスプレイ装置５５２００に送信することができる。ディスプレイ装置５５１００は３Ｄ映像処理装置５５２００から受信された３Ｄ映像信号に対応する映像を３Ｄで表示する。
【０３７２】
これによって、２Ｄを支援するディスプレイ装置５５１００でも３Ｄ映像をユーザに提供することができる。
【０３７３】
図３４は本発明一実施形態によるディスプレイシステム５５１を構成するディスプレイ装置５５１００の構成を示すブロック図である。図３４に示すように、ディスプレイ装置５５１００は少なくとも一つの映像供給源５５３００が接続される第１映像受信部５５１１０と、第１映像受信部５５１１０を通じて映像供給源５５３００から受信される映像信号を処理する第１映像処理部５５１２０と、第１映像処理部５５１２０によって処理される映像信号を映像で表示するディスプレイ部５５１３０と、３Ｄ映像処理装置５５２００が着脱可能に結合される第１連結部５５１４０と、ユーザ入力に従って既設定されたコマンドを出力するユーザ入力部５５１５０と、限定されないデータ／情報が保存される第１保存部５５１６０と、ディスプレイ装置５５１００の諸般構成の動作を制御する第１制御部５５１７０と、を含む。
【０３７４】
第１映像受信部５５１１０は少なくとも一つの映像供給源５５３００から受信される映像信号を第１映像処理部５５１２０に伝達するＩ／Ｏ（ｉｎｐｕｔ／ｏｕｔｐｕｔ）装置として、受信される映像信号の規格や映像供給源５５３００及びディスプレイ装置５５１００の具現方式に対応して多様な方式を有する。例えば、第１映像受信部５５１１０は、ＨＤＭＩ（ｈｉｇｈ  ｄｅｆｉｎｉｔｉｏｎ  ｍｕｌｔｉｍｅｄｉａ  ｉｎｔｅｒｆａｃｅ）、ＵＳＢ（Ｕｎｉｖｅｒｓａｌ  Ｓｅｒｉａｌ  Ｂｕｓ）、コンポーネント（ｃｏｍｐｏｎｅｎｔ）等の規格による信号／データを受信することができるし、これらそれぞれの規格に対応する複数の接続端子（図示せず）を含む。このような各接続端子（図示せず）に映像供給源５５３００をはじめとする多様な外部装置が接続されることによって、第１映像受信部５５１１０を経由した通信が可能である。第１映像受信部５５１１０を通じて受信される映像信号は２Ｄ映像信号と３Ｄ映像信号を全部含む。
【０３７５】
第１映像処理部５５１２０は第１映像受信部５５１１０から受信される映像信号に対して既設定された多様な映像処理プロセスを行う。第１映像処理部５５１２０はこのようなプロセスが行われた映像信号をディスプレイ部５５１３０に出力することによって、ディスプレイ部５５１３０に該当映像信号に対応する映像が表示される。
【０３７６】
第１映像処理部５５１２０が行う映像処理プロセスの種類は限られず、例えば、所定信号を各特性別信号に分配するディマルチプレキシング（ｄｅ−ｍｕｌｔｉｐｌｅｘｉｎｇ）、映像信号の映像フォーマットに対応するデコーディング（ｄｅｃｏｄｉｎｇ）、インターレース（ｉｎｔｅｒｌａｃｅ）方式の映像信号をプログレッシブ（ｐｒｏｇｒｅｓｓｉｖｅ）方式で変換するディーンの場所レーシング（ｄｅ−ｉｎｔｅｒｌａｃｉｎｇ）、映像信号を既設定された解像度で調整するスケーリング（ｓｃａｌｉｎｇ）、映像画質改善のためのノイズ減少（ｎｏｉｓｅ  ｒｅｄｕｃｔｉｏｎ）、ディテール強化（ｄｅｔａｉｌ  ｅｎｈａｎｃｅｍｅｎｔ）、フレームリフレッシュレート（ｆｒａｍｅ  ｒｅｆｒｅｓｈ  ｒａｔｅ）変換等を含むことができる。
【０３７７】
第１映像処理部５５１２０はこのようなプロセスを行うための多様なチップセット（図示せず）、メモリー（図示せず）、電子部品（図示せず）、配線（図示せず）等の回路構成が印刷回路基板（図示せず）上に実装された映像処理ボード５５１２５で具現される。
【０３７８】
ディスプレイ部５５１３０は第１映像処理部５５１２０から出力される映像信号に基づいて映像を表示する。ディスプレイ部５５１３０の具現方式は限られず、液晶（ｌｉｑｕｉｄ  ｃｒｙｓｔａｌ）、プラズマ（ｐｌａｓｍａ）、発光ダイオード（ｌｉｇｈｔ−ｅｍｉｔｔｉｎｇ  ｄｉｏｄｅ）、有機発光ダイオード（ｏｒｇａｎｉｃ  ｌｉｇｈｔ−ｅｍｉｔｔｉｎｇ  ｄｉｏｄｅ）、面伝導電子銃（ｓｕｒｆａｃｅ−ｃｏｎｄｕｃｔｉｏｎ  ｅｌｅｃｔｒｏｎ−ｅｍｉｔｔｅｒ）、炭素ナノチューブ（ｃａｒｂｏｎ  ｎａｎｏ−ｔｕｂｅ）、ナノクリスタル（ｎａｎｏ−ｃｒｙｓｔａｌ）等の多様なディスプレイ方式で具現されることができる。
【０３７９】
ディスプレイ部５５１３０はその具現方式にしたがって付加的な構成を追加的に含むことができる。例えば、ディスプレイ部５５１３０が液晶方式である場合、ディスプレイ部５５１３０は液晶ディスプレイパネル５５１３１と、これに光を供給するバックライトユニット（図示せず）と、パネル５５１３１を駆動させる駆動部を含むパネル駆動基板（図示せず）、ディスプレイパネル５５１３１の前端に結合されて駆動部を制御し画質を改善するタイミング
コントローラー（以下、Ｔ−ｃｏｎと言う）５５１３５を含む。
【０３８０】
第１連結部５５１４０には３Ｄ映像処理装置５５２００が取り外すことができるように結合される。ディスプレイ装置５５１００と３Ｄ映像処理装置５５２００は多様な方式によって結合され、具体的な結合に対しは後で詳しく説明する。
【０３８１】
第１連結部５５１４０は３Ｄ映像処理装置５５２００と通信を行う。具体的に、第１連結部５５１４０は映像供給源５５３００から受信された映像信号を３Ｄ映像処理装置５５２００に送信し、３Ｄ映像処理装置５５２００から処理された３Ｄ映像信号を受信する。
【０３８２】
ユーザ入力部５５１５０はユーザの操作及び入力によって、既設定された多様な制御コマンド又は限定されない情報を第１制御部５５１７０に伝達する。ユーザ入力部５５１５０はディスプレイ装置５５１００外側に設置されたメニューキー（ｍｅｍｕ−ｋｅｙ）及び入力パネル（ｐａｎｅｌ）や、ディスプレイ装置５５１００と分離離隔されたリモートコントローラー（ｒｅｍｏｔｅ  ｃｏｎｔｒｏｌｌｅｒ）等で具現される。
【０３８３】
一方、ユーザ入力部５５１５０はディスプレイ部５５１３０と一体型で具現されることができる。即ち、ディスプレイ部５５１３０がタッチスクリーン（ｔｏｕｃｈ−ｓｃｒｅｅｎ）である場合、ユーザはディスプレイ部５５１３０に設けられた入力メニュー（図示せず）を通じて既設定されたコマンドを第１制御部５５１７０に伝達することもできる。
【０３８４】
第１保存部５５１６０は第１制御部５５１７０の制御に従って限定されないデータが保存される。第１保存部５５１６０はフラッシュメモリー（ｆｌａｓｈ−ｍｅｍｏｒｙ）、ハードディスクドライブ（ｈａｒｄ−ｄｉｓｃ  ｄｒｉｖｅ）のような非揮発性保存媒体で具現される。第１保存部５５１６０は第１制御部５５１７０によってアクセスされ、第１制御部５５１７０によるデータの読取／記録／修正／削除／更新等が行われる。
【０３８５】
第１保存部５５１６０に保存されるデータは、例えば、ディスプレイ装置５５１００の駆動のための運営体制を始めとして、この運営体制上で実行可能な多様なアプリケーション、映像データ、付加データ等を含む。
【０３８６】
第１制御部５５１７０はディスプレイ装置５５１００の多様な構成に対する制御動作を行う。例えば、第１制御部５５１７０は第１映像処理部５５１２０が処理する映像処理プロセスの進行、第１連結部５５１４０を通じる信号／情報／データの送受信動作、ユーザ入力部５５１５０からのコマンドに対する対応制御動作を行うことによって、ディスプレイ装置５５１００の全体動作を制御する。
【０３８７】
本実施形態の第１制御部５５１７０は３Ｄ映像処理装置５５２００が結合されれば、第１映像処理部５５１２０のファームウェア
アップグレードを通じて第１映像受信部５５１１０を通じて受信される映像信号が３Ｄ映像信号であることを認知することができる。第１制御部５５１７０は認知された３Ｄ映像信号を３Ｄ映像処理装置５５２００に送信し、３Ｄ映像処理装置５５２００から処理された３Ｄ映像信号を受信するように第１連結部５５１４０を制御し、処理された３Ｄ映像信号を３Ｄ映像で表示するようにディスプレイ部５５１３０を制御する。
【０３８８】
このような構成のディスプレイ装置５５１００は使用時間が経過することによって、技術の発展及び多様な要因によりアップグレードを必要とする。アップグレードを必要とする場合は、例えば、ディスプレイ装置５５１００の製造段階で提案されなかった３Ｄ映像信号を受信する場合を含むことができる。本実施形態によれば、ディスプレイ装置５５１００をアップグレードするように設けられた３Ｄ映像処理装置５５２００が第１連結部５５１４０に接続されることによって、ディスプレイ装置５５１００を３Ｄにアップグレードさせる。
【０３８９】
３Ｄ映像処理装置５５２００はディスプレイ装置５５１００が有しているハードウェア／ソフトウェア資源の中で少なくとも一部の資源に対応するハードウェア／ソフトウェア構成を含む。３Ｄ映像処理装置５５２００が含むこれら構成はディスプレイ装置５５１００の前記の少なくとも一部資源より向上された機能を行うことができるように設けられる。３Ｄ映像処理装置５５２００はディスプレイ装置５５１００に接続されれば、ディスプレイ装置５５１００の既存資源の中で少なくとも一部を代えることによって、最終的にディスプレイ装置５５１００で３Ｄ映像を表示することになる。
【０３９０】
図３５は本発明一実施形態によるディスプレイシステム５５１を構成する３Ｄ映像処理装置５５２００の構成を示すブロック図である。
【０３９１】
３Ｄ映像処理装置５５２００は少なくとも一つの映像供給源５５３００が接続される第２映像受信部５５２１０と、３Ｄ映像信号を処理する第２映像処理部５５２２０と、ディスプレイ装置５５１００の第１連結部５５１４０に接続される第２連結部５５２４０と、限定されないデータ／情報が保存される第２保存部５５２６０と、３Ｄ映像処理装置５５２００の諸般動作を制御する第２制御部５５２７０と、３Ｄメガネ５５２８１と通信を行う通信部５５２８０と、を含む。
【０３９２】
第２映像受信部５５２１０は少なくとも一つの映像供給源５５３００から受信される映像信号を受信し、受信される映像信号の規格や映像供給源５５３００及びディスプレイ装置５５１００の具現方式に対応して多様な方式を有する。例えば、第２映像受信部５５２１０は、ＨＤＭＩ（ｈｉｇｈ  ｄｅｆｉｎｉｔｉｏｎ  ｍｕｌｔｉｍｅｄｉａ  ｉｎｔｅｒｆａｃｅ）、ＵＳＢ（Ｕｎｉｖｅｒｓａｌ  Ｓｅｒｉａｌ  Ｂｕｓ）、コンポーネント（ｃｏｍｐｏｎｅｎｔ）等の規格による信号／データを受信できるし、これらそれぞれの規格に対応する複数の接続端子（図示せず）を含む。このような各接続端子（図示せず）に映像供給源５５３００をはじめとする多様な外部装置が接続されることによって、第２映像受信部５５２１０を経由した通信が可能である。第２映像受信部５５２１０を通じて受信される映像信号は２Ｄ映像信号と３Ｄ映像信号を全部含む。
【０３９３】
図３５の実施形態では映像信号を受信する第２映像受信部５５２１０が設けられた３Ｄ映像処理装置５５２００を示しているが、本実施形態は３Ｄ映像処理装置５５２００に映像信号を受信する構成が設けられなかった場合も含む。第２映像受信部５５２１０が設けられなかった場合、３Ｄ映像処理装置５５２００はディスプレイ装置５５１００から映像信号を受信し、受信された映像信号を処理してディスプレイ装置５５１００に送信する。
【０３９４】
３Ｄ映像は交番的に表示される左眼映像及び右眼映像でなることができる。放送信号は一連のデータでなるストリームの形態で受信されることができる。放送信号のストリームは、例えば、ＭＰＥＧ２規格のトランスポート
ストリームを含む。放送信号は２以上のストリームを含むことができる。例えば、放送信号は３Ｄ映像の左眼映像及び右眼映像に各々対応する２ヶのストリーム（以下、各々第１ストリーム及び第２ストリームと言う）を含むことができる。
【０３９５】
第２映像処理部５５２２０は３Ｄ映像信号を処理する。第２映像処理部５５２２０に行われる処理は、ディマルチプレキシング、デコーディング、トランスコーディング、スケーリング等を含む。第２映像処理部５５２２０は、ディマルチプレキサー（図示せず）、第１デコーダー（図示せず）及び第２デコーダー２（図示せず）を含むことができる。３Ｄ映像の左眼映像及び右眼映像に各々対応する第１ストリーム及び第２ストリームがマルチプレキサ（ＭＵＸ）された放送信号である場合、ディマルチプレキサーは放送信号を第１ストリーム及び第２ストリームで分離する。第１デコーダーは第１ストリームをデコーディングして左眼映像を出力し、第２デコーダーは第２ストリームをデコーディングして右眼映像を出力する。デコーディングされた左眼映像及び右眼映像は、ディスプレイ装置５５１００でディスプレイ部５５１３０によって交番的に表示される。
【０３９６】
第２映像処理部５５２２０はバックライトの電源供給をオン／オフ制御して３Ｄ映像の画質を改善するディミング  ブロック（ｄｉｍｍｉｎｇ  ｂｌｏｃｋ）（図示せず）をさらに含むことができる。ディミング  ブロックによって、さらに効果的な３Ｄコンテンツの再生が可能になる。
【０３９７】
本実施形態の第２映像処理部５５２２０は２Ｄ映像信号を３Ｄ映像信号に変換する３Ｄ変換部（３Ｄ
ｆｏｒｍａｔｔｅｒ）を含むことができる。２Ｄ映像信号は複数の映像フレーム（以下、‘フレーム’と言う）を含む。３Ｄ映像信号は視聴者の両眼時差を利用することとして、複数の左眼フレーム及び複数の右眼フレームを含むことができる。複数の左眼フレーム及び複数の右眼フレームの中で一組の左眼フレームと右眼フレームは、２Ｄ映像信号の複数のフレームの中で対応する少なくともいずれか一つから各々変換されることができる。
【０３９８】
第２映像処理部５５２２０はディスプレイ装置５５１００及び３Ｄ映像処理装置５５２００の接続時に第１制御部５５１７０又は第２制御部５５２７０の制御に従って、３Ｄ映像信号を処理したり、２Ｄ映像信号を３Ｄ映像信号に変換することによって、結果的に３Ｄ映像の再生が可能になる。これに関する詳しい実施形態に対しては後述する。
【０３９９】
第２連結部５５２４０は第１連結部５５１４０に着脱可能に結合されることによって、３Ｄ映像処理装置５５２００及びディスプレイ装置５５１００の間の通信が可能になる。
【０４００】
図３６乃至図３８は、３Ｄ映像処理装置５５２００がディスプレイ装置５５１００に結合される例を示す図面である。
【０４０１】
本実施形態の３Ｄ映像処理装置５５２００は、ディスプレイ装置５５１００のタイミングコントローラー５５１３５、ディスプレイパネル５５１３１及び映像処理ボード５５１２５の中でいずれか一つに着脱可能に結合されることができる。
【０４０２】
図３６に示すように、第２連結部５５２４０はタイミング
コントローラー５５１３５に設けられた複数のコネクター５５１４１、５５１４２の中で少なくとも一つ以上のコネクター５５１４２に接続されることができる。ここで、ディスプレイ装置５５１００は、複数のコネクター５５１４１、５５１４２の中でいずれか一つのコネクター５５１４１に映像処理ボード５５１２５が接続された状態で発売され、他の一つのコネクター５５１４２は予備コネクターとして存在する。後に、３Ｄ映像処理装置５５２００は、予備コネクター５５１４２に接続される形態で３Ｄにアップグレードが可能である。
【０４０３】
ディスプレイ装置５５１００に３Ｄ映像処理装置５５２００の接続のための予備コネクター５５１４２が設けられない場合、図３７に示すように、第１連結部５５１４０に接続される別途の変換ジェンダー５５１４３を通じて３Ｄ映像処理装置５５２００を結合することができる。
【０４０４】
一方、図３８に示すように、ディスプレイ装置５５１００は、タイミングコントローラー５５１３５がディスプレイパネル５５１３１と映像処理ボード５５１２５のスロットにスライディング結合される形態と設計されて発売されることができる。後に、３Ｄ映像処理装置５５２００とタイミングコントローラー５５１３５が結合された形態のモジュールを発売して、既存のタイミングコントローラー５５１３５の位置に３Ｄ映像処理装置５５２００とタイミングコントローラーが結合されたモジュールを交替する方式で簡単に３Ｄ映像処理が可能にアップグレードされることができる。
【０４０５】
図３６乃至図３８は３Ｄ映像処理装置５５２００が結合される例示に過ぎず、第１連結部５５１４０及び第２連結部５５２４０の間の接続方式は前記の実施形態以外にも多様な形態で具現されることができる。
【０４０６】
第２保存部５５２６０は限定されないデータが保存される。第２保存部５５２６０は、フラッシュメモリー（ｆｌａｓｈ−ｍｅｍｏｒｙ）、ハードディスクドライブ（ｈａｒｄ−ｄｉｓｃ  ｄｒｉｖｅ）のような非揮発性保存媒体で具現される。第２保存部５５２６０は第１制御部５５１７０又は第２制御部５５２７０によってアクセスされ、これによるデータの読取／記録／修正／削除／更新等が行われる。一方、第２保存部５５２６０も具現方式にしたがって第２制御部５５２７０だけでなく第１制御部５５１７０によってアクセスされることもできる。
【０４０７】
第２制御部５５２７０は全体的な映像処理プロセスを行うための３Ｄ映像処理装置５５２００の多様な構成に対する制御動作を行う。例えば、第２制御部５５２７０は第２映像処理部５５２２０が処理する映像処理プロセスの進行、第２連結部５５２４０を通じる信号／情報／データの送受信動作を行うことによって、３Ｄ映像処理装置５５２００の全体動作を制御する。
【０４０８】
第２制御部５５２７０及び第１制御部５５１７０は、ＣＰＵ（Ｃｅｎｔｒａｌ  Ｐｒｏｃｅｓｓｉｎｇ  Ｕｎｉｔ）で具現されることができるので、３Ｄ映像信号が受信されれば第２制御部５５２７０は第１制御部５５１７０をディセーブルさせ第１制御部５５１７０を代えてディスプレイシステム５５１全体の動作を制御することができる。又は、第２制御部５５２７０は第１制御部５５１７０と共にディスプレイシステム５５１全体の動作を制御することもできる。
【０４０９】
第２制御部５５２７０及び第１制御部５５１７０は、ＣＰＵを補助するＧＰＵ（Ｇｒａｐｈｉｃ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）、ＤＤＲ  ＲＡＭのようなメモリー（Ｍｅｍｏｒｙ）をさらに含むことができる。
【０４１０】
通信部５５２８０は、３Ｄメガネ５５２８１と通信を行い、３Ｄメガネ５５２８１に送信される信号を処理された３Ｄ映像信号と同期化する。３Ｄメガネ５５２８１は、電圧引加可否にしたがって光を選択的に透過させるシャッターメガネ、又は既設定された偏光方向の光を透過可能な偏光メガネで具現される。
【０４１１】
通信部５５２８０は、ＲＦ（Ｒａｄｉｏ  Ｆｒｅｑｕｅｎｃｙ）、ジグビー（Ｚｉｇｂｅｅ（登録商標））、ブルートゥース、ＮＦＣ（Ｎｅａｒ  Ｆｉｅｌｅｄ  Ｃｏｍｍｕｎｉｃａｔｉｏｎ）赤外線通信のような所定通信規格による無線通信モジュールを含み、ディスプレイ装置５５１００及び３Ｄメガネ５５２８１の間に限定されない多様な特性の信号／情報／データが送受信されることができる。
【０４１２】
以下、３Ｄ映像処理装置５５２００によってディスプレイ装置５５１００を３Ｄにアップグレードする具体的な実施形態に関して図３９乃至図４３を参照して説明する。
【０４１３】
図３９乃至図４３は本実施形態によるディスプレイシステム５５１でディスプレイ装置５５１００の映像処理プロセスを３Ｄ映像処理装置５５２００によりアップグレードして処理する方法を示すフローチャートである。
【０４１４】
ディスプレイ装置５５１００は、映像供給源５５３００からの２Ｄ又は３Ｄ映像信号が受信されれば（図３９の５５４１１）、これを既設定されたシーケンスの映像処理プロセス（図３９の５５４１３、５５４１５、５５４１７）にしたがって処理する。図面に示す映像処理プロセスの例示は本発明の実施形態をさらに簡単に表現するためにいくつかの例示だけを示すことで、実際にディスプレイ装置５５１００で具現される映像処理プロセス全部を示したことではないことを明らかにする。
【０４１５】
図３９及び図４０に示す実施形態はディスプレイ装置５５１００の映像受信部５５１１０を通じて映像信号を受信するケースに該当する。
【０４１６】
図３９に示すように、ディスプレイ装置５５１００に映像供給源５５３００からの３Ｄ映像信号が受信されれば５５４１１、第１制御部５５１７０は受信された映像信号が３Ｄ映像信号であることを認知し５５４１３、３Ｄ映像処理装置５５２００に送信する５５４１４。第２制御部５５２７０は、受信された３Ｄ映像信号を処理するように第２映像処理部５５２２０を制御し５５４１５、処理された３Ｄ映像信号をディスプレイ装置５５１００に送信する５５４１６。第１制御部５５１７０は、受信された３Ｄ映像信号をディスプレイ部５５１３０に３Ｄ映像で表示する５５４１７。
【０４１７】
図４０に示すように、ディスプレイ装置５５１００に映像供給源５５３００からの２Ｄ映像信号が受信されれば５５４２１、第１制御部５５１７０は受信された映像信号が２Ｄ映像信号であることを認知し５５４２３、受信された２Ｄ映像信号を処理するように第１映像処理部５５１２０を制御する５５４２５。第１制御部５５１７０は処理された２Ｄ映像信号を３Ｄ映像処理装置５５２００に送信する５５４２６。第２制御部５５２７０は、受信された２Ｄ映像信号を３Ｄ映像信号に変換するように第２映像処理部５５２２０を制御し５５４２７、変換された３Ｄ映像信号をディスプレイ装置５５１００に送信する５５４２８。第１制御部５５１７０は受信された３Ｄ映像信号をディスプレイ部５５１３０に３Ｄ映像で表示する５５４２９。
【０４１８】
図４０に示す実施形態では第１映像処理部５５１２０が２Ｄ映像信号を処理し、第２映像処理部５５２２０で２Ｄを３Ｄに変換する実施形態を示しているが、本発明は第２映像処理部５５２２０で２Ｄ映像信号を処理及び３Ｄに変換する実施形態も含む。この場合、第１制御部５５１７０は映像信号が２Ｄであることを認知し、３Ｄ映像処理装置５５２００に送信することができる。
【０４１９】
図４１乃至図４３に示す実施形態は、３Ｄ映像処理装置５５２００に映像受信部５５２１０が設けられて、直接に映像信号を受信するケースに該当する。
【０４２０】
図４１に示すように、３Ｄ映像処理装置５５２００に映像供給源５５３００からの３Ｄ映像信号が受信されれば５５４３１、第２制御部５５２７０は受信された映像信号が３Ｄ映像信号であることを認知し５５４３３、受信された３Ｄ映像信号を処理するように第２映像処理部５５１２０を制御する５５４３５。第２制御部５５２７０は処理された３Ｄ映像信号をディスプレイ装置５５１００に送信する５５４３６。第１制御部５５１７０は受信された３Ｄ映像信号をディスプレイ部５５１３０に３Ｄ映像で表示する５５４３７。
【０４２１】
図４２に示すように、３Ｄ映像処理装置５５２００に映像供給源５５３００からの２Ｄ映像信号が受信されれば５５４４１、第２制御部５５２７０は受信された映像信号が２Ｄ映像信号であることを認知し５５４４３、受信された２Ｄ映像信号を処理し５５４４５、処理された２Ｄ映像信号を３Ｄ映像信号に変換するように第２映像処理部５５１２０を制御する５５４４７。第２制御部５５２７０は変換された３Ｄ映像信号をディスプレイ装置５５１００に送信する５５４４８。第１制御部５５１７０は受信された３Ｄ映像信号をディスプレイ部５５１３０に３Ｄ映像で表示する５５４４９。
【０４２２】
図４３の実施形態は２Ｄ映像信号を第１映像処理部５５２２０で処理する点で図４２の実施形態と差がある。図４３に示すように、３Ｄ映像処理装置５５２００に映像供給源５５３００からの２Ｄ映像信号が受信されれば５５４５１、第２制御部５５２７０は受信された映像信号が２Ｄ映像信号であることを認知し５５４５３、受信された２Ｄ映像信号をディスプレイ装置５５１００に送信する５５４５４。第１制御部５５１７０は受信された２Ｄ映像信号を処理するように第１映像処理部５５１２０を制御し５５４５５、処理された２Ｄ映像信号を３Ｄ映像処理装置５５２００に送信する５５４５６。第２制御部５５２７０は受信された２Ｄ映像信号を３Ｄ映像信号に変換するように第２映像処理部５５２２０を制御する５５４５７。第２制御部５５２７０は変換された３Ｄ映像信号をディスプレイ装置５５１００に送信する５５４５８。第１制御部５５１７０は受信された３Ｄ映像信号をディスプレイ部５５１３０に３Ｄ映像で表示する５５４５９。
【０４２３】
このように、本発明の実施形態によれば、２Ｄ映像を処理するディスプレイ装置５５１００に３Ｄ映像処理装置５５２００を着脱可能に結合して、簡単に３Ｄにアップグレードし、３Ｄコンテンツを再生できるようになる。
【０４２４】
以上、好ましい実施形態を通じて本発明に対して詳しく説明したが、本発明はこれに限られず、特許請求範囲内で多様に実施されることができる。
【符号の説明】
【０４２５】
１、１ａ、１ｂ、１ｃ、１ｄ、１ｅ、１ｆ、１ｇ  ディスプレイシステム
１００、１００ａ、１００ｂ、１００ｃ、１００ｄ、１００e、１００ｆ、１００ｇ  映像処理装置
１１０    第１信号入力部
１２０    ユーザ入力部
１３０    第１映像処理部
１４０    第１制御部
１５０    第１保存部
１７０    ディスプレイ部
１６０、１６０ａ、１６０ｂ、１６０ｃ  アップグレード装置接続部
１８０    変換増幅部
１９０    音声出力部
２００、２００ａ、２００ｂ  アップグレード装置
２１０、２１０ａ    本体接続部
２２０    第２映像処理部
２３０    第２制御部
２４０    第２保存部
２５０    第２信号入力部
【図１】
2013141221.tif 000003
【図２】
2013141221.tif 000004
【図３】
2013141221.tif 000005
【図４】
2013141221.tif 000006
【図５】
2013141221.tif 000007
【図６】
2013141221.tif 000008
【図７】
2013141221.tif 000009
【図８】
2013141221.tif 000010
【図９】
2013141221.tif 000011
【図１０】
2013141221.tif 000012
【図１１】
2013141221.tif 000013
【図１２】
2013141221.tif 000014
【図１３】
2013141221.tif 000015
【図１４】
2013141221.tif 000016
【図１５】
2013141221.tif 000017
【図１６】
2013141221.tif 000018
【図１７】
2013141221.tif 000019
【図１８】
2013141221.tif 000020
【図１９】
2013141221.tif 000021
【図２０】
2013141221.tif 000022
【図２１】
2013141221.tif 000023
【図２２】
2013141221.tif 000024
【図２３】
2013141221.tif 000025
【図２４】
2013141221.tif 000026
【図２５】
2013141221.tif 000027
【図２６】
2013141221.tif 000028
【図２７】
2013141221.tif 000029
【図２８】
2013141221.tif 000030
【図２９】
2013141221.tif 000031
【図３０】
2013141221.tif 000032
【図３１】
2013141221.tif 000033
【図３２】
2013141221.tif 000034
【図３３】
2013141221.tif 000035
【図３４】
2013141221.tif 000036
【図３５】
2013141221.tif 000037
【図３６】
2013141221.tif 000038
【図３７】
2013141221.tif 000039
【図３８】
2013141221.tif 000040
【図３９】
2013141221.tif 000041
【図４０】
2013141221.tif 000042
【図４１】
2013141221.tif 000043
【図４２】
2013141221.tif 000044
【図４３】
2013141221.tif 000045